(57)【要約】  ユーザ機器(UE)は、本来ならダウンリンク通信のために構成されるコンポーネントキャリア(CC)上でサウンディング基準信号(SRS)を送信し得る。キャリアアグリゲーション構成またはUE能力に起因して、UEは、CC上で送信するためにいくつかの構成要素を再同調させる必要があり得る。再同調時間を含むSRS送信が(たとえば、アップリンクまたはダウンリンクにおける)別の送信と衝突する場合、UEは、SRS送信を容易にするために、SRSを欠落させてよく、他の送信を欠落させてよく、または他の送信をパンクチャしてよい。衝突についての決定は、再同調時間、チャネル、または他の送信における制御情報のタイプによって決まり得る。場合によっては、SRSを送信することが、UEが復調基準信号、ハイブリッド自動再送要求(HARQ)フィードバックを送信するのを妨げることになる場合、UEは他の送信を欠落させてよい。場合によっては、決定は、優先度付けに基づいてよく、後続のサブフレームによって決まることもある。
2019521600.tif 000002
【特許請求の範囲】
【請求項１】
ワイヤレス通信のための方法であって、
キャリアアグリゲーション(CA)構成の第1のキャリアおよび前記CA構成の第2のキャリア上で送信するためのユーザ機器(UE)の能力を識別するステップであって、前記第1のキャリアが、時分割複信(TDD)または周波数分割複信(FDD)のために構成され、かつアップリンク送信およびダウンリンク送信のために構成され、前記第2のキャリアが、TDDおよびダウンリンク送信のために構成される、ステップと、
前記第1のキャリア上の通信と前記第2のキャリア上のサウンディング基準信号(SRS)との間の、サブフレームにおける衝突を識別するステップと、
前記UEの前記能力に少なくとも部分的に基づいて、前記サブフレームの間に前記第1のキャリア上の前記通信もしくは前記第2のキャリア上の前記SRSまたはその両方を送信するステップと
を備える方法。
【請求項２】
前記UEの前記能力に少なくとも部分的に基づいて前記SRSを欠落させるとともに、前記第1のキャリア上で前記通信を送信するステップ
をさらに備える請求項1に記載の方法。
【請求項３】
前記UEの前記能力に少なくとも部分的に基づいて前記第1のキャリア上の前記通信を欠落させるとともに、前記第2のキャリア上で前記SRSを送信するステップ
をさらに備える請求項1に記載の方法。
【請求項４】
前記UEの前記能力に少なくとも部分的に基づいて前記第1のキャリア上の前記通信をパンクチャするステップ
をさらに備える請求項1に記載の方法。
【請求項５】
パンクチャする前記ステップに少なくとも部分的に基づいて前記第1のキャリア上の前記通信に対してレートマッチングを実行するステップ
をさらに備える請求項4に記載の方法。
【請求項６】
前記UEの前記能力が再同調時間を備える、請求項1に記載の方法。
【請求項７】
前記UEの前記能力が、シンボル期間の個数に対応する再同調時間を備え、シンボル期間の前記個数が所定のしきい値を越えるとき、前記第1のキャリア上の前記通信が欠落させられる、請求項1に記載の方法。
【請求項８】
前記第1のキャリア上の前記通信が、物理アップリンク共有チャネル(PUSCH)通信を備え、前記方法は、前記衝突が復調基準信号(DMRS)のシンボルを伴うときに前記SRSを欠落させるか、または前記衝突が前記DMRSのシンボルを伴わないときに前記PUSCH送信をパンクチャするステップをさらに備える、請求項1に記載の方法。
【請求項９】
前記第1のキャリア上の前記通信が、物理アップリンク共有チャネル(PUSCH)通信を備え、前記方法は、前記PUSCH通信がハイブリッド自動再送要求(HARQ)フィードバックを備え、かつ前記衝突が前記HARQフィードバックのシンボルを伴うときに、前記SRSを欠落させるステップをさらに備える、請求項1に記載の方法。
【請求項１０】
前記第1のキャリア上の前記通信もしくは前記第2のキャリア上の前記SRSまたはその両方が、前記通信の内容、チャネルタイプ、サイクリックプレフィックス長、またはそれらの任意の組合せに少なくとも部分的に基づいて送信される、請求項1に記載の方法。
【請求項１１】
前記第1のキャリア上の前記通信もしくは前記第2のキャリア上の前記SRSまたはその両方が、無線リソース制御(RRC)構成または拡張干渉緩和およびトラフィック適合(eIMTA)構成に少なくとも部分的に基づいて送信される、請求項1に記載の方法。
【請求項１２】
前記通信および前記SRSが同じサブフレームの中にある、請求項1に記載の方法。
【請求項１３】
再同調時間しきい値を識別するステップをさらに備え、前記第1のキャリア上の前記通信もしくは前記第2のキャリア上の前記SRSまたはその両方を送信するステップが、前記再同調時間しきい値に少なくとも部分的に基づく、
請求項1に記載の方法。
【請求項１４】
再同調時間が復調基準信号と衝突すると決定するステップをさらに備え、前記第1のキャリア上の前記通信もしくは前記第2のキャリア上の前記SRSまたはその両方を送信するステップが、前記決定に少なくとも部分的に基づく、
請求項1に記載の方法。
【請求項１５】
前記UEの前記能力の指示、または再同調時間がダウンリンク受信能力に影響を及ぼすかどうかという明示的な指示を送信するステップ
をさらに備える請求項1に記載の方法。
【請求項１６】
前記UEの前記能力に少なくとも部分的に基づいて制御チャネル監視モードを選択するステップと、
前記制御チャネル監視モードに少なくとも部分的に基づいて、制御チャネルを監視するのを控えるステップと
をさらに備える請求項15に記載の方法。
【請求項１７】
ハイブリッド自動再送要求(HARQ)フィードバック、非周期チャネル状態情報(A-CSI)、チャネル品質情報(CQI)、復調基準信号(DMRS)、非周期SRS(A-SRS)、周期チャネル状態情報(P-CSI)、周期SRS(P-SRS)、ユーザデータ、またはそれらの任意の組合せを含む、優先度付け方式を識別するステップをさらに備え、前記第1のキャリア上の前記通信もしくは前記第2のキャリア上の前記SRSまたはその両方を送信するステップが、前記優先度付け方式に少なくとも部分的に基づく、
請求項1に記載の方法。
【請求項１８】
前記第2のキャリア上で前記SRSを送信することに少なくとも部分的に基づいて、物理ハイブリッド自動再送要求(HARQ)インジケータチャネル(PHICH)用に指定されたシンボル期間の間に前記第1のキャリアが監視されていないと決定するステップと、
前記決定に少なくとも部分的に基づいてアップリンクHARQプロセスを一時停止するステップと
をさらに備える請求項1に記載の方法。
【請求項１９】
前記第2のキャリア上で前記SRSを送信することに少なくとも部分的に基づいて、物理制御フォーマットインジケータチャネル(PCFICH)用に指定されたシンボル期間の間に前記第1のキャリアが監視されていないと決定するステップと、
前記決定に少なくとも部分的に基づいて物理ダウンリンク共有チャネル(PDSCH)または拡張物理ダウンリンク制御チャネル(EPDCCH)の開始シンボル期間を識別するステップと
をさらに備える請求項1に記載の方法。
【請求項２０】
前記開始シンボル期間を識別するステップが、前記第1のキャリアの帯域幅に少なくとも部分的に基づく、請求項19に記載の方法。
【請求項２１】
前記第2のキャリア上で前記SRSを送信する前に前記開始シンボル期間の指示を受信するステップをさらに備え、前記開始シンボル期間を識別するステップが、前記指示を受信することに少なくとも部分的に基づく、
請求項19に記載の方法。
【請求項２２】
前記識別された開始シンボルに少なくとも部分的に基づいてトランスポートブロックサイズ(TBS)をスケーリングするステップ
をさらに備える請求項19に記載の方法。
【請求項２３】
ワイヤレス通信のための装置であって、
キャリアアグリゲーション(CA)構成の第1のキャリアおよび前記CA構成の第2のキャリア上で送信するためのユーザ機器(UE)の能力を識別するための手段であって、前記第1のキャリアが、時分割複信(TDD)または周波数分割複信(FDD)のために構成され、かつアップリンク送信およびダウンリンク送信のために構成され、前記第2のキャリアが、TDDおよびダウンリンク送信のために構成される、手段と、
前記第1のキャリア上の通信と前記第2のキャリア上のサウンディング基準信号(SRS)との間の、サブフレームにおける衝突を識別するための手段と、
前記UEの前記能力に少なくとも部分的に基づいて、前記サブフレームの間に前記第1のキャリア上の前記通信もしくは前記第2のキャリア上の前記SRSまたはその両方を送信するための手段と
を備える装置。
【請求項２４】
前記UEの前記能力に少なくとも部分的に基づいて前記SRSを欠落させるとともに、前記第1のキャリア上で前記通信を送信するための手段
をさらに備える請求項23に記載の装置。
【請求項２５】
前記UEの前記能力に少なくとも部分的に基づいて前記第1のキャリア上の前記通信を欠落させるとともに、前記第2のキャリア上で前記SRSを送信するための手段
をさらに備える請求項23に記載の装置。
【請求項２６】
前記UEの前記能力に少なくとも部分的に基づいて前記第1のキャリア上の前記通信をパンクチャするための手段
をさらに備える請求項23に記載の装置。
【請求項２７】
前記パンクチャすることに少なくとも部分的に基づいて前記第1のキャリア上の前記通信に対してレートマッチングを実行するための手段
をさらに備える請求項26に記載の装置。
【請求項２８】
前記UEの前記能力が再同調時間を備える、請求項23に記載の装置。
【請求項２９】
前記第1のキャリア上の前記通信もしくは前記第2のキャリア上の前記SRSまたはその両方を送信するための前記手段が、前記通信の内容、チャネルタイプ、サイクリックプレフィックス長、またはそれらの任意の組合せに少なくとも部分的に基づいて送信するように動作可能である、請求項23に記載の装置。
【請求項３０】
前記第1のキャリア上の前記通信もしくは前記第2のキャリア上の前記SRSまたはその両方を送信するための前記手段が、無線リソース制御(RRC)構成または拡張干渉緩和およびトラフィック適合(eIMTA)構成に少なくとも部分的に基づいて送信するように動作可能である、請求項23に記載の装置。
【請求項３１】
前記通信および前記SRSが同じサブフレームの中にある、請求項23に記載の装置。
【請求項３２】
再同調時間しきい値を識別するための手段をさらに備え、前記第1のキャリア上の前記通信もしくは前記第2のキャリア上の前記SRSまたはその両方を送信するための前記手段が、前記再同調時間しきい値に少なくとも部分的に基づいて動作可能である、
請求項23に記載の装置。
【請求項３３】
再同調時間が復調基準信号と衝突すると決定するための手段をさらに備え、前記第1のキャリア上の前記通信もしくは前記第2のキャリア上の前記SRSまたはその両方を送信するための前記手段が、前記決定に少なくとも部分的に基づいて動作可能である、
請求項23に記載の装置。
【請求項３４】
前記UEの前記能力の指示、または再同調時間がダウンリンク受信能力に影響を及ぼすかどうかという明示的な指示を送信するための手段
をさらに備える請求項23に記載の装置。
【請求項３５】
前記UEの前記能力に少なくとも部分的に基づいて制御チャネル監視モードを選択するための手段と、
前記制御チャネル監視モードに少なくとも部分的に基づいて、制御チャネルを監視するのを控えるための手段と
をさらに備える請求項34に記載の装置。
【請求項３６】
ハイブリッド自動再送要求(HARQ)フィードバック、非周期チャネル状態情報(A-CSI)、チャネル品質情報(CQI)、復調基準信号(DMRS)、非周期SRS(A-SRS)、周期チャネル状態情報(P-CSI)、周期SRS(P-SRS)、ユーザデータ、またはそれらの任意の組合せを含む、優先度付け方式を識別するための手段をさらに備え、前記第1のキャリア上の前記通信もしくは前記第2のキャリア上の前記SRSまたはその両方を送信するための前記手段が、前記優先度付け方式に少なくとも部分的に基づいて動作可能である、
請求項23に記載の装置。
【請求項３７】
前記第2のキャリア上で前記SRSを送信することに少なくとも部分的に基づいて、物理ハイブリッド自動再送要求(HARQ)インジケータチャネル(PHICH)用に指定されたシンボル期間の間に前記第1のキャリアが監視されていないと決定するための手段と、
前記決定に少なくとも部分的に基づいてアップリンクHARQプロセスを一時停止するための手段と
をさらに備える請求項23に記載の装置。
【請求項３８】
前記第2のキャリア上で前記SRSを送信することに少なくとも部分的に基づいて、物理制御フォーマットインジケータチャネル(PCFICH)用に指定されたシンボル期間の間に前記第1のキャリアが監視されていないと決定するための手段と、
前記決定に少なくとも部分的に基づいて物理ダウンリンク共有チャネル(PDSCH)または拡張物理ダウンリンク制御チャネル(EPDCCH)の開始シンボル期間を識別するための手段と
をさらに備える請求項23に記載の装置。
【請求項３９】
前記開始シンボル期間を識別することが、前記第1のキャリアの帯域幅に少なくとも部分的に基づく、請求項38に記載の装置。
【請求項４０】
前記第2のキャリア上で前記SRSを送信する前に前記開始シンボル期間の指示を受信するための手段をさらに備え、前記開始シンボル期間を識別することが、前記指示を受信することに少なくとも部分的に基づく、
請求項38に記載の装置。
【請求項４１】
前記識別された開始シンボルに少なくとも部分的に基づいてトランスポートブロックサイズ(TBS)をスケーリングするための手段
をさらに備える請求項38に記載の装置。
【請求項４２】
モバイルデバイスであって、
プロセッサと、
前記プロセッサと電子通信しているメモリと、
前記メモリに記憶された命令とを備え、前記命令は、前記プロセッサによって実行されたとき、前記モバイルデバイスに、
キャリアアグリゲーション(CA)構成の第1のキャリアおよび前記CA構成の第2のキャリア上で送信するための前記モバイルデバイスの能力を識別することであって、前記第1のキャリアが、時分割複信(TDD)または周波数分割複信(FDD)のために構成され、かつアップリンク送信およびダウンリンク送信のために構成され、前記第2のキャリアが、TDDおよびダウンリンク送信のために構成される、識別することと、
前記第1のキャリア上の通信と前記第2のキャリア上のサウンディング基準信号(SRS)との間の、サブフレームにおける衝突を識別することと、
UEの能力に少なくとも部分的に基づいて、前記サブフレームの間に前記第1のキャリア上の前記通信もしくは前記第2のキャリア上の前記SRSまたはその両方を送信することとをさせるように動作可能である、
モバイルデバイス。
【請求項４３】
前記命令が、前記プロセッサによって、前記モバイルデバイスに、
前記モバイルデバイスの前記能力に少なくとも部分的に基づいて前記SRSを欠落させることと、
前記第1のキャリア上の前記通信を送信することとをさせるようにさらに実行可能である、
請求項42に記載のモバイルデバイス。
【請求項４４】
前記命令が、前記プロセッサによって、前記モバイルデバイスに、
前記モバイルデバイスの前記能力に少なくとも部分的に基づいて前記第1のキャリア上の前記通信を欠落させることと、
前記第2のキャリア上で前記SRSを送信することとをさせるようにさらに実行可能である、
請求項42に記載のモバイルデバイス。
【請求項４５】
前記命令が、前記プロセッサによって、前記モバイルデバイスに、
前記モバイルデバイスの前記能力に少なくとも部分的に基づいて前記第1のキャリア上の前記通信をパンクチャさせるようにさらに実行可能である、
請求項42に記載のモバイルデバイス。
【請求項４６】
前記命令が、前記プロセッサによって、前記モバイルデバイスに、
前記パンクチャすることに少なくとも部分的に基づいて前記第1のキャリア上の前記通信に対してレートマッチングを実行させるようにさらに実行可能である、
請求項45に記載のモバイルデバイス。
【請求項４７】
前記モバイルデバイスの前記能力が再同調時間を備える、請求項42に記載のモバイルデバイス。
【請求項４８】
前記命令が、前記プロセッサによって、前記モバイルデバイスに、
前記第1のキャリア上の前記通信もしくは前記第2のキャリア上の前記SRSまたはその両方を、前記通信の内容、チャネルタイプ、サイクリックプレフィックス長、またはそれらの任意の組合せに少なくとも部分的に基づいて送信させるようにさらに実行可能である、
請求項42に記載のモバイルデバイス。
【請求項４９】
前記命令が、前記プロセッサによって、前記モバイルデバイスに、
前記第1のキャリア上の前記通信もしくは前記第2のキャリア上の前記SRSまたはその両方を、無線リソース制御(RRC)構成または拡張干渉緩和およびトラフィック適合(eIMTA)構成に少なくとも部分的に基づいて送信させるようにさらに実行可能である、
請求項42に記載のモバイルデバイス。
【請求項５０】
前記通信および前記SRSが同じサブフレームの中にある、請求項42に記載のモバイルデバイス。
【請求項５１】
前記命令が、前記プロセッサによって、前記モバイルデバイスに、
再同調時間しきい値を識別させ、
前記再同調時間しきい値に少なくとも部分的に基づいて、前記第1のキャリア上の前記通信もしくは前記第2のキャリア上の前記SRSまたはその両方を送信させるようにさらに実行可能である、
請求項42に記載のモバイルデバイス。
【請求項５２】
前記命令が、前記プロセッサによって、前記モバイルデバイスに、
再同調時間が復調基準信号と衝突すると決定させ、
前記決定に少なくとも部分的に基づいて、前記第1のキャリア上の前記通信もしくは前記第2のキャリア上の前記SRSまたはその両方を送信させるようにさらに実行可能である、
請求項42に記載のモバイルデバイス。
【請求項５３】
前記命令が、前記プロセッサによって、前記モバイルデバイスに、
前記UEの前記能力の指示、または再同調時間がダウンリンク受信能力に影響を及ぼすかどうかという明示的な指示を送信させるようにさらに実行可能である、
請求項42に記載のモバイルデバイス。
【請求項５４】
前記命令が、前記プロセッサによって、前記モバイルデバイスに、
前記UEの前記能力に少なくとも部分的に基づいて制御チャネル監視モードを選択させ、
前記制御チャネル監視モードに少なくとも部分的に基づいて、制御チャネルを監視するのを控えさせるようにさらに実行可能である、
請求項53に記載のモバイルデバイス。
【請求項５５】
前記命令が、前記プロセッサによって、前記モバイルデバイスに、
ハイブリッド自動再送要求(HARQ)フィードバック、非周期チャネル状態情報(A-CSI)、チャネル品質情報(CQI)、復調基準信号(DMRS)、非周期SRS(A-SRS)、周期チャネル状態情報(P-CSI)、周期SRS(P-SRS)、ユーザデータ、またはそれらの任意の組合せを含む、優先度付け方式を識別させるようにさらに実行可能であり、前記第1のキャリア上の前記通信もしくは前記第2のキャリア上の前記SRSまたはその両方を送信することが、前記優先度付け方式に少なくとも部分的に基づく、
請求項42に記載のモバイルデバイス。
【請求項５６】
前記命令が、前記プロセッサによって、前記モバイルデバイスに、
前記第2のキャリア上で前記SRSを送信することに少なくとも部分的に基づいて、物理ハイブリッド自動再送要求(HARQ)インジケータチャネル(PHICH)用に指定されたシンボル期間の間に前記第1のキャリアが監視されていないと決定させ、
前記決定に少なくとも部分的に基づいてアップリンクHARQプロセスを一時停止させるようにさらに実行可能である、
請求項42に記載のモバイルデバイス。
【請求項５７】
前記命令が、前記プロセッサによって、前記モバイルデバイスに、
前記第2のキャリア上で前記SRSを送信することに少なくとも部分的に基づいて、物理制御フォーマットインジケータチャネル(PCFICH)用に指定されたシンボル期間の間に前記第1のキャリアが監視されていないと決定させ、
前記決定に少なくとも部分的に基づいて物理ダウンリンク共有チャネル(PDSCH)または拡張物理ダウンリンク制御チャネル(EPDCCH)の開始シンボル期間を識別させるようにさらに実行可能である、
請求項42に記載のモバイルデバイス。
【請求項５８】
前記開始シンボル期間を識別することが、前記第1のキャリアの帯域幅に少なくとも部分的に基づく、請求項57に記載のモバイルデバイス。
【請求項５９】
前記命令が、前記プロセッサによって、前記モバイルデバイスに、
前記第2のキャリア上で前記SRSを送信する前に前記開始シンボル期間の指示を受信させるようにさらに実行可能であり、前記開始シンボル期間を識別することが、前記指示を受信することに少なくとも部分的に基づく、
請求項57に記載のモバイルデバイス。
【請求項６０】
前記命令が、前記プロセッサによって、前記モバイルデバイスに、
前記識別された開始シンボルに少なくとも部分的に基づいてトランスポートブロックサイズ(TBS)をスケーリングさせるようにさらに実行可能である、
請求項57に記載のモバイルデバイス。
【請求項６１】
ワイヤレス通信のためのコードを記憶する非一時的コンピュータ可読記憶媒体であって、前記コードが、
キャリアアグリゲーション(CA)構成の第1のキャリアおよび前記CA構成の第2のキャリア上で送信するためのユーザ機器(UE)の能力を識別することであって、前記第1のキャリアが、時分割複信(TDD)または周波数分割複信(FDD)のために構成され、かつアップリンク送信およびダウンリンク送信のために構成され、前記第2のキャリアが、TDDおよびダウンリンク送信のために構成される、識別することと、
前記第1のキャリア上の通信と前記第2のキャリア上のサウンディング基準信号(SRS)との間の、サブフレームにおける衝突を識別することと、
前記UEの前記能力に少なくとも部分的に基づいて、前記サブフレームの間に前記第1のキャリア上の前記通信もしくは前記第2のキャリア上の前記SRSまたはその両方を送信することとを行うように実行可能な命令を備える、
非一時的コンピュータ可読記憶媒体。
【発明の詳細な説明】
【技術分野】
【０００１】
相互参照
本特許出願は、2017年6月26日に出願されたRico Alvarinoらによる「Multiple Antennas and Interruption Time Values For Sounding Reference Signal (SRS) Switching」と題する米国特許出願第15/633,626号、2016年6月29日に出願されたRico Alvarinoらによる「Multiple Antennas and Interruption Time Values For Sounding Reference Signal (SRS) Switching」と題する米国仮特許出願第62/356,392号、および2016年8月12日に出願されたRico Alvarinoらによる「Multiple Antennas and Interruption Time Values For Sounding Reference Signal (SRS) Switching」と題する米国仮特許出願第62/374,522号の優先権を主張するものであり、その各々が本出願の譲受人に譲渡される。
【０００２】
以下のことは、一般に、ワイヤレス通信に関し、より詳細には、サウンディング基準信号(SRS)切替えにおける複数のアンテナおよび中断時間値に関する。
【背景技術】
【０００３】
ワイヤレス通信システムは、音声、ビデオ、パケットデータ、メッセージング、放送などの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム)を含む。ワイヤレス多元接続通信システムは、場合によってはユーザ機器(UE)として知られることがある複数の通信デバイスのための通信を各々が同時にサポートする、いくつかの基地局を含んでよい。
【０００４】
いくつかのワイヤレスシステムでは、UEは、異なる周波数範囲を使用する1つまたは複数のコンポーネントキャリア(CC:component carrier)を使用して基地局と通信し得る。CCの構成に応じて、UEの能力は、様々なCC上での基地局との通信をサポートする基準信号を送信するためのUEの能力に影響を及ぼすことがある。UEは、アップリンク制御またはデータとSRSとを並行して送信する能力が制限されることがあり、そのような制限を考慮しないと、UEと基地局の間の通信の品質または効率に影響を及ぼすことがある。
【発明の概要】
【課題を解決するための手段】
【０００５】
ユーザ機器(UE)は、ダウンリンクCC(たとえば、セカンダリCC)として指定されたCC上でサウンディング基準信号(SRS)を送信するために、コンポーネントキャリア(CC)を切り替えるように構成され得る。(再同調時間を含む)SRS送信が別の送信(アップリンクまたはダウンリンクのいずれか)と衝突する場合、UEは、SRSを欠落させてよく、他の送信を欠落させてよく、または他の送信をパンクチャしてよい。衝突が発生し得るかどうか、および衝突を回避するために送信を欠落させるべきかどうかという決定は、再同調時間、チャネルの特性、および他の送信の内容に基づいてよい。SRSを送信することが、UEが復調基準信号を受信するのを妨げることになる場合、UEは他の送信を欠落させてよい。場合によっては、決定は、後続のサブフレームの内容に基づいてよい。いくつかの例では、UEは、複数のアンテナの効率的なサウンディングをサポートするために、異なるCC上でまたは異なるシンボル期間の間に送信するときに、異なるアンテナポート組合せを使用してよい。
【０００６】
ワイヤレス通信のための方法が説明される。方法は、キャリアアグリゲーション(CA:carrier aggregation)構成の第1のキャリアおよびCA構成の第2のキャリア上で送信するためのUEの能力を識別することであって、第1のキャリアが、時分割複信(TDD:time division duplexing)または周波数分割複信(FDD:frequency division duplexing)のために構成され、かつアップリンク送信およびダウンリンク送信のために構成され、第2のキャリアが、TDDおよびダウンリンク送信のために構成されることと、第1のキャリア上の通信と第2のキャリア上のSRSとの間の、サブフレームにおける衝突を識別することと、UEの能力に少なくとも部分的に基づいて、サブフレームの間に第1のキャリア上の通信もしくは第2のキャリア上のSRSまたはその両方を送信することとを含み得る。
【０００７】
ワイヤレス通信のための装置が説明される。装置は、CA構成の第1のキャリアおよびCA構成の第2のキャリア上で送信するためのUEの能力を識別するための手段であって、第1のキャリアが、TDDまたはFDDのために構成され、かつアップリンク送信およびダウンリンク送信のために構成され、第2のキャリアが、TDDおよびダウンリンク送信のために構成される、手段と、第1のキャリア上の通信と第2のキャリア上のSRSとの間の、サブフレームにおける衝突を識別するための手段と、UEの能力に少なくとも部分的に基づいて、サブフレームの間に第1のキャリア上の通信もしくは第2のキャリア上のSRSまたはその両方を送信するための手段とを含み得る。
【０００８】
モバイルデバイスが説明される。モバイルデバイスは、プロセッサと、プロセッサと電子通信しているメモリと、メモリに記憶された命令とを含み得る。命令は、プロセッサに、CA構成の第1のキャリアおよびCA構成の第2のキャリア上で送信するためのUEの能力を識別することであって、第1のキャリアが、TDDまたはFDDのために構成され、かつアップリンク送信およびダウンリンク送信のために構成され、第2のキャリアが、TDDおよびダウンリンク送信のために構成されることと、第1のキャリア上の通信と第2のキャリア上のSRSとの間の、サブフレームにおける衝突を識別することと、UEの能力に少なくとも部分的に基づいて、サブフレームの間に第1のキャリア上の通信もしくは第2のキャリア上のSRSまたはその両方を送信することとをさせるように動作可能であり得る。
【０００９】
ワイヤレス通信のための非一時的コンピュータ可読媒体が説明される。非一時的コンピュータ可読媒体は、プロセッサに、CA構成の第1のキャリアおよびCA構成の第2のキャリア上で送信するためのUEの能力を識別することであって、第1のキャリアが、TDDまたはFDDのために構成され、かつアップリンク送信およびダウンリンク送信のために構成され、第2のキャリアが、TDDおよびダウンリンク送信のために構成されることと、第1のキャリア上の通信と第2のキャリア上のSRSとの間の、サブフレームにおける衝突を識別することと、UEの能力に少なくとも部分的に基づいて、サブフレームの間に第1のキャリア上の通信もしくは第2のキャリア上のSRSまたはその両方を送信することとをさせるように動作可能な命令を含み得る。
【００１０】
上記で説明した方法、装置、モバイルデバイス、および非一時的コンピュータ可読媒体のいくつかの例は、UEの能力に少なくとも部分的に基づいてSRSを欠落させるとともに、第1のキャリア上で通信を送信するための、プロセス、特徴、手段、または命令をさらに含み得る。
【００１１】
上記で説明した方法、装置、モバイルデバイス、および非一時的コンピュータ可読媒体のいくつかの例は、UEの能力に少なくとも部分的に基づいて第1のキャリア上の通信を欠落させるとともに、第2のキャリア上でSRSを送信するための、プロセス、特徴、手段、または命令をさらに含み得る。
【００１２】
上記で説明した方法、装置、モバイルデバイス、および非一時的コンピュータ可読媒体のいくつかの例は、UEの能力に少なくとも部分的に基づいて第1のキャリア上の通信をパンクチャするための、プロセス、特徴、手段、または命令をさらに含み得る。
【００１３】
上記で説明した方法、装置、モバイルデバイス、および非一時的コンピュータ可読媒体のいくつかの例は、パンクチャすることに少なくとも部分的に基づいて第1のキャリア上の通信に対してレートマッチングを実行するための、プロセス、特徴、手段、または命令をさらに含み得る。
【００１４】
上記で説明した方法、装置、モバイルデバイス、および非一時的コンピュータ可読媒体のいくつかの例では、UEの能力は再同調時間を備える。
【００１５】
上記で説明した方法、装置、モバイルデバイス、および非一時的コンピュータ可読媒体のいくつかの例では、UEの能力は、シンボル期間の個数に対応する再同調時間を備え、シンボル期間の個数が所定のしきい値を越えるとき、第1のキャリア上の通信は欠落させられ得る。
【００１６】
上記で説明した方法、装置、モバイルデバイス、および非一時的コンピュータ可読媒体のいくつかの例では、第1のキャリア上の通信は、物理アップリンク共有チャネル(PUSCH:physical uplink shared channel)通信を含み得、上記で説明した方法、装置、モバイルデバイス、および非一時的コンピュータ可読媒体は、衝突が復調基準信号(DMRS:demodulation reference signal)のシンボルを伴うときにSRSを欠落させるか、または衝突がDMRSのシンボルを伴わないときにPUSCH送信をパンクチャするための、プロセス、特徴、手段、または命令をさらに含み得る。
【００１７】
上記で説明した方法、装置、モバイルデバイス、および非一時的コンピュータ可読媒体のいくつかの例では、第1のキャリア上の通信は、PUSCH通信を含み得、上記で説明した方法、装置、モバイルデバイス、および非一時的コンピュータ可読媒体は、PUSCH通信がハイブリッド自動再送要求(HARQ:hybrid automatic repeat request)フィードバックを備え、かつ衝突がHARQフィードバックのシンボルを伴うときに、SRSを欠落させるための、プロセス、特徴、手段、または命令をさらに含み得る。
【００１８】
上記で説明した方法、モバイルデバイス、装置、および非一時的コンピュータ可読媒体のいくつかの例では、第1のキャリア上の通信もしくは第2のキャリア上のSRSまたはその両方は、通信の内容、チャネルタイプ、サイクリックプレフィックス長、またはそれらの任意の組合せに少なくとも部分的に基づいて送信され得る。
【００１９】
上記で説明した方法、装置、モバイルデバイス、および非一時的コンピュータ可読媒体のいくつかの例では、第1のキャリア上の通信もしくは第2のキャリア上のSRSまたはその両方は、無線リソース制御(RRC:radio resource control)構成または拡張干渉緩和およびトラフィック適合(eIMTA:enhanced interference mitigation and traffic adaptation)構成に少なくとも部分的に基づいて送信され得る。上記で説明した方法、装置、モバイルデバイス、および非一時的コンピュータ可読媒体のいくつかの例では、通信およびSRSは同じサブフレームの中にあり得る。
【００２０】
上記で説明した方法、装置、モバイルデバイス、および非一時的コンピュータ可読媒体のいくつかの例は、再同調時間しきい値を識別するための、プロセス、特徴、手段、または命令をさらに含み得、第1のキャリア上の通信もしくは第2のキャリア上のSRSまたはその両方を送信することは、再同調時間しきい値に少なくとも部分的に基づき得る。
【００２１】
上記で説明した方法、装置、モバイルデバイス、および非一時的コンピュータ可読媒体のいくつかの例は、再同調時間が復調基準信号と衝突すると決定するための、プロセス、特徴、手段、または命令をさらに含み得、第1のキャリア上の通信もしくは第2のキャリア上のSRSまたはその両方を送信することは、決定に少なくとも部分的に基づき得る。
【００２２】
上記で説明した方法、装置、モバイルデバイス、および非一時的コンピュータ可読媒体のいくつかの例は、UEの能力の指示、または再同調時間がダウンリンク受信能力に影響を及ぼすかどうかという明示的な指示を送信するための、プロセス、特徴、手段、または命令をさらに含み得る。
【００２３】
上記で説明した方法、装置、モバイルデバイス、および非一時的コンピュータ可読媒体のいくつかの例は、UEの能力に少なくとも部分的に基づいて制御チャネル監視モードを選択するための、プロセス、特徴、手段、または命令をさらに含み得る。上記で説明した方法、装置、および非一時的コンピュータ可読媒体のいくつかの例は、制御チャネル監視モードに少なくとも部分的に基づいて、制御チャネルを監視するのを控えるための、プロセス、特徴、手段、または命令をさらに含み得る。
【００２４】
上記で説明した方法、装置、モバイルデバイス、および非一時的コンピュータ可読媒体のいくつかの例は、HARQフィードバック、非周期チャネル状態情報(A-CSI:aperiodic channel state information)、チャネル品質情報(CQI:channel quality information)、DMRS、非周期SRS(A-SRS:aperiodic SRS)、周期チャネル状態情報(P-CSI:periodic channel state information)、周期SRS(P-SRS:periodic SRS)、ユーザデータ、またはそれらの任意の組合せを含む、優先度付け方式を識別するための、プロセス、特徴、手段、または命令をさらに含み得、第1のキャリア上の通信もしくは第2のキャリア上のSRSまたはその両方を送信することは、優先度付け方式に少なくとも部分的に基づき得る。
【００２５】
上記で説明した方法、装置、モバイルデバイス、および非一時的コンピュータ可読媒体のいくつかの例は、第2のキャリア上でSRSを送信することに少なくとも部分的に基づいて、物理HARQインジケータチャネル(PHICH:physical HARQ indicator channel)用に指定されたシンボル期間の間に第1のキャリアが監視されていないことがあると決定するための、プロセス、特徴、手段、または命令をさらに含み得る。上記で説明した方法、装置、および非一時的コンピュータ可読媒体のいくつかの例は、決定に少なくとも部分的に基づいてアップリンクHARQプロセスを一時停止するための、プロセス、特徴、手段、または命令をさらに含み得る。
【００２６】
上記で説明した方法、装置、モバイルデバイス、および非一時的コンピュータ可読媒体のいくつかの例は、第2のキャリア上でSRSを送信することに少なくとも部分的に基づいて、物理制御フォーマットインジケータチャネル(PCFICH:physical control format indicator channel)用に指定されたシンボル期間の間に第1のキャリアが監視されていないことがあると決定するための、プロセス、特徴、手段、または命令をさらに含み得る。上記で説明した方法、装置、および非一時的コンピュータ可読媒体のいくつかの例は、決定に少なくとも部分的に基づいて物理ダウンリンク共有チャネル(PDSCH:physical downlink shared channel)または拡張物理ダウンリンク制御チャネル(EPDCCH:enhanced physical downlink control channel)の開始シンボル期間を識別するための、プロセス、特徴、手段、または命令をさらに含み得る。
【００２７】
上記で説明した方法、装置、モバイルデバイス、および非一時的コンピュータ可読媒体のいくつかの例は、開始シンボルが第1のキャリアの帯域幅に少なくとも部分的に基づき得ることを識別するための、プロセス、特徴、手段、または命令をさらに含み得る。
【００２８】
上記で説明した方法、装置、モバイルデバイス、および非一時的コンピュータ可読媒体のいくつかの例は、第2のキャリア上でSRSを送信する前に開始シンボルの指示を受信するための、プロセス、特徴、手段、または命令をさらに含み得、開始シンボルを識別することは、指示を受信することに少なくとも部分的に基づき得る。
【００２９】
上記で説明した方法、装置、モバイルデバイス、および非一時的コンピュータ可読媒体のいくつかの例は、識別された開始シンボルに少なくとも部分的に基づいてトランスポートブロックサイズ(TBS:transport block size)をスケーリングするための、プロセス、特徴、手段、または命令をさらに含み得る。
【図面の簡単な説明】
【００３０】
【図１】本開示の態様による、サウンディング基準信号(SRS)切替えにおける複数のアンテナおよび中断時間値をサポートするワイヤレス通信のためのシステムの一例を示す図である。
【図２】本開示の態様による、SRS切替えにおいて複数のアンテナおよび中断時間値を使用するSRS送信をサポートするワイヤレスシステムの一例を示す図である。
【図３】本開示の態様による、SRS切替えにおける複数のアンテナおよび中断時間値をサポートするキャリアアグリゲーション(CA)構成の一例を示す図である。
【図４】本開示の態様による、SRS切替えにおける複数のアンテナおよび中断時間値をサポートするコンポーネントキャリア(CC)切替えの一例を示す図である。
【図５】本開示の態様による、SRS切替えにおける複数のアンテナおよび中断時間値をサポートするアップリンク/ダウンリンク送信パンクチャリングおよびレートマッチングの一例を示す図である。
【図６】本開示の態様による、SRS切替えにおける複数のアンテナおよび中断時間値をサポートするプロセスフローの一例を示す図である。
【図７】本開示の態様による、SRS切替えにおける複数のアンテナおよび中断時間値をサポートする1つまたは複数のデバイスのブロック図である。
【図８】本開示の態様による、SRS切替えにおける複数のアンテナおよび中断時間値をサポートする1つまたは複数のデバイスのブロック図である。
【図９】本開示の態様による、SRS切替えにおける複数のアンテナおよび中断時間値をサポートする1つまたは複数のデバイスのブロック図である。
【図１０】本開示の態様による、SRS切替えにおける複数のアンテナおよび中断時間値をサポートするユーザ機器(UE)を含むシステムのブロック図である。
【図１１】本開示の態様による、SRS切替えにおける複数のアンテナおよび中断時間値をサポートする1つまたは複数のデバイスのブロック図である。
【図１２】本開示の態様による、SRS切替えにおける複数のアンテナおよび中断時間値をサポートする1つまたは複数のデバイスのブロック図である。
【図１３】本開示の態様による、SRS切替えにおける複数のアンテナおよび中断時間値をサポートする1つまたは複数のデバイスのブロック図である。
【図１４】本開示の態様による、SRS切替えにおける複数のアンテナおよび中断時間値をサポートする基地局を含むシステムのブロック図である。
【図１５】本開示の態様による、SRS切替えにおける複数のアンテナおよび中断時間値のための方法を示す図である。
【図１６】本開示の態様による、SRS切替えにおける複数のアンテナおよび中断時間値のための方法を示す図である。
【図１７】本開示の態様による、SRS切替えにおける複数のアンテナおよび中断時間値のための方法を示す図である。
【図１８】本開示の態様による、SRS切替えにおける複数のアンテナおよび中断時間値のための方法を示す図である。
【図１９】本開示の態様による、SRS切替えにおける複数のアンテナおよび中断時間値のための方法を示す図である。
【図２０】本開示の態様による、SRS切替えにおける複数のアンテナおよび中断時間値のための方法を示す図である。
【図２１】本開示の態様による、SRS切替えにおける複数のアンテナおよび中断時間値のための方法を示す図である。
【図２２】本開示の態様による、SRS切替えにおける複数のアンテナおよび中断時間値のための方法を示す図である。
【発明を実施するための形態】
【００３１】
複数のコンポーネントキャリア(CC)を使用するキャリアアグリゲーション(CA)構成で動作するユーザ機器(UE)または基地局は、通信をスケジュールしサウンディング基準信号(SRS)を送信またはトリガするとき、UEの能力を考慮し得る。たとえば、UEは、ダウンリンクCCのアクティブでないアップリンクサブフレームの間に基準信号を送信することによって、ダウンリンク通信用に指定されたCC上のダウンリンク通信を容易にし得る。しかしながら、そのような送信は、信号を送信するために無線を再同調させること、またはアップリンク信号をパンクチャすることを伴うことがあり、そのことがプライマリCC(PCCまたはPCell)上のアップリンク通信またはダウンリンク通信を途絶させることがある。したがって、UEもしくは基地局またはその両方は、他の送信との衝突を回避または改善するように、SRS送信を戦略的に送信またはトリガし得る。
【００３２】
例として、UEの再同調時間を含むSRS送信が別の送信(アップリンクまたはダウンリンクのいずれか)と衝突する場合、UEは、SRS送信を欠落させてよく、他の送信を欠落させてよく、または他の送信をパンクチャしてよい。決定は、UEの再同調時間、チャネルの特性、および他の送信の内容に基づいてよい。場合によっては、SRSを送信することが、UEが復調基準信号(DMRS)を受信するのを妨げることになる場合、UEは他の送信を欠落させてよい。場合によっては、決定は、後続のサブフレームの内容に基づいてよい。
【００３３】
したがって、UEは、SRS切替えと呼ばれることがある、SRSを送信するための再同調または切替えを、どのように扱うべきかをUEの再同調時間に基づいて決定し得る。たとえば、UEは、サブフレームのためのSRS送信を欠落させること、別のチャネル上の送信を欠落させること、別のチャネル上の送信をパンクチャすること、またはそれらの任意の組合せを行ってよい。使用される技法は、たとえば、切替えに関与するチャネル、サイクリックプレフィックス長、または様々な他のファクタに基づいてよい。UEはまた、衝突が発生する場合にいくつかの送信に優先度を付けてよい。
【００３４】
UEは、UEの能力に基づいてUEを構成し得る、基地局から受信される暗黙的または明示的な指示に基づいてSRS切替えを扱ってよい。たとえば、UEは、送信を欠落させる代わりに送信をパンクチャしようと試みてよく、次いで、UEは、どんなシンボルがパンクチャされるのかに基づいて、送信を欠落させるべきかどうかを暗黙のうちに決定してよい。いくつかの例では、UEの切替え時間は、ダウンリンク送信に影響を及ぼすことがある。したがって、UEは、SRS切替えがアップリンク送信とダウンリンク送信の両方に、またはアップリンク送信のみに影響を及ぼすことがあるかどうかを、基地局に示してよい。
【００３５】
いくつかの例では、UEは、SRSを送信すべきかどうかを決定するために、後続のサブフレームへのルックアヘッドを行ってよい。UEは、たとえば、第1のCCまたは第2のCCの再同調時間およびTDD(または、FDD)構成に基づいて、SRSを送信すべきと決定してよい。場合によっては、UEは、UEがルックアヘッドを扱うための処理パワーを有するかどうかを示してよい。UEがルックアヘッドを扱うことができる場合、SRS送信は、SRS切替えを実行するためのUEの能力に基づいて実行されてよい。UEは、チャネル用のTDD構成に基づいて、ルックアヘッドを行うと決定してよい。UEはまた、UEの能力、切替え時間、および様々な他のファクタに基づいて、ルックアヘッドを実行すべきか否かを決定してよい。
【００３６】
上記で紹介した本開示の態様は、以下でワイヤレス通信システムの文脈において説明される。以後の図は、UEの再同調時間に基づくSRS切替えをサポートするCA構成およびタイミング構成の例を示す。本開示の態様は、SRS切替えにおける複数のアンテナおよび中断時間値に関係する装置図、システム図、およびフローチャートによってさらに図示され、それらを参照しながら説明される。
【００３７】
図1は、本開示の様々な態様によるワイヤレス通信システム100の一例を示す。ワイヤレス通信システム100は、基地局105、UE115、およびコアネットワーク130を含む。いくつかの例では、ワイヤレス通信システム100は、LTE(または、LTEアドバンスト)ネットワークであってよい。ワイヤレス通信システム100は、SRS切替えにおける複数のアンテナおよび中断時間値をサポートし得る。たとえば、UE115は、第2のCC上でSRS信号を送信するために、第1のCCから第2のCCに切り替え得る。UE115はまた、各アンテナをサウンディングしてよく、または第1のCCにおいてルックアヘッドを行ってよい。
【００３８】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100で示す通信リンク125は、UE115から基地局105へのアップリンク送信または基地局105からUE115へのダウンリンク送信を含み得る。UE115は、ワイヤレス通信システム100全体にわたって分散されてよく、各UE115は固定またはモバイルであってよい。UE115は、モバイルデバイス、移動局、加入者局、リモートユニット、ワイヤレスデバイス、アクセス端末(AT)、ハンドセット、ユーザエージェント、クライアント、または同様の用語で呼ばれることもある。UE115はまた、セルラーフォン、ワイヤレスモデム、ハンドヘルドデバイス、パーソナルコンピュータ、タブレット、パーソナル電子デバイス、マシンタイプ通信(MTC:machine type communication)デバイスなどであってよい。
【００３９】
基地局105は、コアネットワーク130と、また互いに通信し得る。たとえば、基地局105は、バックホールリンク132(たとえば、S1など)を通じてコアネットワーク130とインターフェースし得る。基地局105は、バックホールリンク134(たとえば、X2など)を介して直接または間接的に(たとえば、コアネットワーク130を通じて)のいずれかで互いに通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであってよい。基地局105は、eノードB(eNB:eNodeB)105と呼ばれることもある。基地局、コアネットワークの中のエンティティ、または基地局もしくはコアネットワークエンティティの構成要素は、ネットワークデバイスと呼ばれることがある。
【００４０】
場合によっては、基地局105およびUE115は、CA構成における2つ以上のキャリアを使用して通信し得る。アグリゲートされた各キャリアは、CCと呼ばれることもある。各CCは、たとえば、1.4、3、5、10、15、または20MHzという帯域幅を有することができる。場合によっては、CCの数は、たとえば、最大5つに限定することができ、アグリゲートされる最大帯域幅が100MHzであることを表す。FDDでは、アグリゲートされるキャリアの数は、ダウンリンクおよびアップリンクで異なってよい。アップリンクCCの数は、ダウンリンクCCの数に等しくてよく、またはそれよりも少なくてもよい。個々のCCはまた、異なる帯域幅であってよい。TDDでは、CCの数ならびに各CCの帯域幅は、普通はダウンリンクおよびアップリンクに対して同じである。CCは、いくつかの方法で配置されてよい。たとえば、CA構成は、すなわち、バンド内連続CAと呼ばれる、同じ動作周波数バンド内の連続するCCに基づいてよい。連続しない割振りも使用することができ、ここで、CCはバンド内またはバンド間のいずれかであってよい。
【００４１】
CA構成は、いくつかの異なる構成のCCを含み得る。たとえば、CA構成は、プライマリセル(PCell)および1つまたは複数のセカンダリセル(SCell)を含んでよい。PCellは、それぞれ、物理アップリンク制御チャネル(PUCCH:physical uplink control channel)および物理ダウンリンク制御チャネル(PDCCH:physical downlink control channel)上で(または、拡張PDCCH(EPDCCH)上で)、アップリンク制御情報およびダウンリンク制御情報を搬送するように構成され得る。PCell上のPDCCHは、PCellのリソース用または1つもしくは複数のSCellのリソース用あるいはその両方のスケジューリング情報を含み得る。SCellはPDCCHを含み得、PDCCHは、そのSCellのリソース用または1つもしくは複数の他のSCell用のスケジューリング情報を含み得る。いくつかのSCellは、ダウンリンク通信のために構成されてよくアップリンク通信のために構成されないことがあるが、PCellは、アップリンク通信とダウンリンク通信の両方のために構成され得る。CAの様々なキャリアが、時分割複信(TDD)構成型または周波数分割複信(FDD)構成型であってよい。CA構成は、TDD構成型キャリアとFDD構成型キャリアの両方を含み得る。
【００４２】
PDCCHは、論理的に連続する9つのリソース要素グループ(REG:resource element group)を含んでよい少なくとも1つの制御チャネル要素(CCE:control channel element)の中でダウンリンク制御情報(DCI:downlink control information)を搬送し得、ここで、各REGは4つのリソース要素を含む。DCIは、ダウンリンクスケジューリング割当て、アップリンクリソース許可、送信方式、アップリンク電力制御、ハイブリッド自動再送要求(HARQ)情報、変調およびコーディング方式(MCS:modulation and coding scheme)、ならびに他の情報に関する情報を含む。DCIメッセージのサイズおよびフォーマットは、DCIによって搬送される情報のタイプおよび量に応じて異なってよい。たとえば、空間多重化がサポートされる場合、DCIメッセージのサイズは、連続する周波数割振りと比較して大きい。同様に、MIMOを採用するシステムの場合、DCIは追加のシグナリング情報を含まなければならない。DCIサイズおよびDCIフォーマットは、情報の量、ならびに帯域幅、アンテナポートの数、および複信モードなどのファクタによって決まる。
【００４３】
PDCCHは、複数のユーザに関連付けられたDCIメッセージを搬送することができ、各UE115は、それに向けられたDCIメッセージを復号し得る。たとえば、各UE115は、セル無線ネットワーク一時識別子(C-RNTI:cell radio network temporary identifier)が割り当てられてよく、各DCIに付加された巡回冗長検査(CRC)ビットが、C-RNTIに基づいてスクランブルされ得る。ユーザ機器における電力消費およびオーバーヘッドを低減するために、CCEロケーションの限定されたセットが、特定のUE115に関連付けられたDCIに対して指定され得る。CCEは、(たとえば、1、2、4、および8個のCCEのグループの中で)グループ化されてよく、関連するDCIをユーザ機器が見つけ得るCCEロケーションのセットが指定され得る。これらのCCEは、探索空間と呼ばれることがある。探索空間は、2つの領域、すなわち、共通CCE領域または探索空間、およびUE固有(専用)CCE領域または探索空間に区分され得る。
【００４４】
共通CCE領域は、基地局105によってサービスされるすべてのUE115によって監視され得、ページング情報、システム情報、ランダムアクセスプロシージャなどの、情報を含み得る。UE固有探索空間は、ユーザ固有の制御情報を含み得る。CCEはインデックスが付けられてよく、共通探索空間はCCE0から開始してよい。UE固有探索空間に対する開始インデックスは、C-RNTI、サブフレームインデックス、CCEアグリゲーションレベル、およびランダムシードによって決まる。UE115は、ブラインド復号と呼ばれるプロセスを実行することによってDCIを復号しようと試みてよく、ブラインド復号中、DCIが検出されるまで探索空間がランダムに復号される。ブラインド復号中、UE115は、そのC-RNTIを使用して可能性のあるすべてのDCIメッセージをデスクランブルしようと試みてよく、CRC検査を実行して、試みに成功したかどうかを決定し得る。
【００４５】
場合によっては、制御チャネルは、本来ならデータ送信のために使用されることになるリソース(すなわち、物理ダウンリンク共有チャネル(PDSCH))を使用して送信され得る。これらの制御チャネルは、拡張PDCCHまたはEPDCCHと呼ばれることがある。各EPDCCHセットは、2、4、または8個の物理リソースブロック(PRB:physical resource block)ペアを有してよい。EPDCCHは、拡張制御チャネル要素(ECCE:enhanced control channel element)および拡張リソース要素グループ(EREG:enhanced resource element group)を使用してスケジュールされ得る。ECCEは4つのEREGを含んでよく、EREGは9つのリソース要素(RE:resource element)を含んでよい。場合によっては、チャネルが拡張CPまたは特殊サブフレームを利用するときなど(たとえば、TDDシステムにおいて)、1つのECCEはまた、8つのEREGから構成されてよい。EPDCCHのために使用されるECCEの数は、アグリゲーションレベルによって決まり得る。EPDCCHはUE固有であってよい。すなわち、EPDCCHは、UE固有探索空間を使用して排他的に送信されてよい。場合によっては、いくつかのDCIフォーマット(たとえば、複数のUE115のためのDCIフォーマット3/3Aおよび1C)は、EPDCCHにおいてサポートされないことがある。場合によっては、EPDCCHがサブフレームの末尾において復号されるとき(EPDCCHの部分がサブフレームの各シンボルの中に入ることがあるので)、UE115は、十分に高速なデコーダを有しない場合にEPDCCHをサポートしないが、PDCCHは、サブフレームの最初の数個のシンボルを使用して送信され得る。
【００４６】
UE115は、ダウンリンク上の通信を容易にするためにSRSを送信し得る。基地局105がアップリンクチャネル品質を推定し得るように、SRSは、所定の系列(たとえば、Zadoff-Chu系列)を使用してUE115によって送信され得る。SRS送信は、別のチャネル上でのデータの送信に関連付けられなくてよく、広い帯域幅(たとえば、アップリンクデータ送信のために割り振られるよりも多くのサブキャリアを含む帯域幅)において周期的に送信され得る。SRSはまた、複数のアンテナポート上でスケジュールされてよく、やはり単一のSRS送信と見なされてよい。SRS送信は、タイプ0(均等に離間した間隔で周期的に送信される)SRSとして、またはタイプ1(非周期的な)SRSとして分類され得る。したがって、基地局105によってSRSから集められたデータは、アップリンクスケジューラに通知するために使用され得る。基地局105はまた、SRSを利用してタイミング整合ステータスを検査してよく、時間整合コマンドをUE115へ送ってよい。SRSは、アップリンク用とダウンリンク用の両方に指定されたCC上で、またダウンリンク固有のキャリア(たとえば、セカンダリCC)上で送信され得る。場合によっては、UE115は別のキャリア上でSRSを送信するように無線を同調させてよく、再同調時間は他の通信と衝突することがある。
【００４７】
UE115は、たとえば、多入力多出力(MIMO)、多地点協調(CoMP:coordinated multi-point)、または他の方式を介して複数の基地局105と共同的に通信するように構成され得る。MIMO技法は、マルチパス環境を利用して複数のデータストリームを送信するために、基地局における複数のアンテナまたはUEにおける複数のアンテナを使用する。CoMPは、UEにとっての全体的な送信品質を改善するとともにネットワーク利用率およびスペクトル利用率を向上させるための、いくつかのeNBによる送信および受信の動的な協調のための技法を含む。いくつかの例では、UE115は、チャネル相反性を高めるために複数のアンテナにおいてSRSを送信し得る。たとえば、第1のシンボルの中で、UE115は第1のアンテナからSRSを送信してよい。次いで、第2のシンボルの中で、UE115は1つまたは複数の他のアンテナからSRSを送信してよい。
【００４８】
図2は、SRS切替えにおける複数のアンテナおよび中断時間値のためのワイヤレスシステム200の一例を示す。UE115-aは、図1を参照しながら本明細書で説明したようなUE115の一例であってよい。UE115-aは、CAのために構成されてよく、TDDまたはFDDであってよい1つまたは複数のCC上の通信をサポートし得る。基地局105-aは、図1を参照しながら本明細書で説明したような基地局105の一例であってよい。CC205の一部または全部は、UE115-aと基地局105-aとの間のTDD送信のために構成されてよい。CC205のうちの1つは、UE115-aのためのPCellとして構成されてよい。
【００４９】
場合によっては、UE115-aは、SRSを送信するために、あるCC(たとえば、PCell)から、ダウンリンク通信用に指定された第2のCC(たとえば、SCell)に再同調し得る。しかしながら、SRSが別の送信(アップリンクまたはダウンリンクのいずれか)と衝突する場合、SRSまたは他の送信が欠落させられてよい。他の場合には、送信がパンクチャされてよく、その両方が送信されてよい。
【００５０】
したがって、UE115-aは、第2のCCのアップリンクリソース上でSRSを送信するために、第1のCC上のアップリンク送信をパンクチャし得る。UE115-aが、衝突する送信を欠落させるかどうかは、暗黙的または明示的な規則に基づいて決定され得る。いくつかの例では、SRSを送信するためにアップリンク送信をパンクチャすることはまた、(たとえば、特殊サブフレームの以前のダウンリンク部分からの、または後続のサブフレームにおける)ダウンリンク送信に影響を及ぼすことがある。さらに、UE115-aは、SRSを送信することが後続の送信にどのように影響を及ぼすのかを決定するために、第1のCC上でルックアヘッドプロシージャを実行し得る。
【００５１】
UE115-aは、アップリンク切替えをどのように扱うべきであるのかを、UE115-aの再同調時間に基づいて決定し得る。たとえば、UE115-aは、サブフレームのためのSRS送信を欠落させること、別のチャネル上の送信を欠落させること、別のチャネル上の送信をパンクチャすること、またはそれらの任意の組合せを行ってよい。使用される技法はまた、たとえば、関与するチャネル、サイクリックプレフィックス長、または様々な他のファクタに基づいてよい。
【００５２】
UE115-aは、暗黙的な規則に基づいて、またはサービングセルからの明示的な指示によって、SRS切替えを扱ってよい。たとえば、UE115-aは、送信を欠落させる代わりに送信をパンクチャしようと試みてよく、UE115-aは、どんなシンボルがパンクチャされるのかに基づいて、送信を欠落させるべきかどうかを暗黙のうちに決定してよい。SRSまたは再同調時間が、別の高い優先度の信号(たとえば、DMRS)と衝突する場合、UE115-aは、信号が送信された送信(たとえば、サブフレーム)全体を欠落させてよい。別の例では、物理アップリンク共有チャネル(PUSCH)を介して肯定応答/否定応答(ACK)/(NAK)が送信され、かつSRS(たとえば、再同調を含む)がACK/NAKシンボルに影響を及ぼす場合、UE115-aはSRS送信を欠落させてよい。SRS(たとえば、再同調時間を伴う)がPUSCHと衝突するが、より高い優先度の信号とは衝突しない場合、UE115-aはPUSCHのみをパンクチャし続けてよい。場合によっては、明示的な指示の一例として、UE115-aは、切替え時間がNシンボルよりも長い場合にサブフレームを欠落させるべきと、または切替え時間がNシンボル以下の場合にサブフレームをパンクチャすべきと決定してよい。
【００５３】
いくつかの例では、UE115-aの切替え/再同調時間はダウンリンク送信に影響を及ぼすことがある。UE115-aは、SRS切替えがアップリンクとダウンリンクの両方に、またはアップリンクのみに影響を及ぼすことがあるかどうかを、基地局105-aに示してよい。たとえば、UE115-aがダウンリンクおよびアップリンクに対して同じ局部発振器(LO)を使用する場合、切替えは、アップリンクとダウンリンクの両方に影響を及ぼすことがある。しかしながら、UE115-aがダウンリンクおよびアップリンクに対して異なるLOを使用する場合、切替えはアップリンクに影響を及ぼすことがあるがダウンリンクには影響を及ぼさないことがある。バンドごとに、またはCA組合せごとに、任意の組合せに対する指示があり得る。CA組合せは、正規のCA構成とSRS CCの両方を含み得る。いくつかの例では、ダウンリンク送信が影響を受けるときなど、いくつかのダウンリンクシンボルが失われることがある。
【００５４】
UE115-aは、SRSを送信するためにCCを切り替えるとき、またはSRSを送信した後にCCを切り替えるとき、ダウンリンク送信を中断してよい。たとえば、SRS送信がサブフレームNの中にある場合、UE115-aはダウンリンクサブフレームN-1を中断してよい。SRS送信前の中断は、ダウンリンクサブフレームまたはダウンリンクパイロットタイムスロット(DwPTS:downlink pilot time slot)に影響を及ぼすことがある。SRSの前に中断することはより厳しい送信タイムラインを示し得るので、SRS送信前に中断することは長い中断時間にとって適切であり得る。いくつかの例では、UE115-aは、UE115-aがDwPTSの中でPDCCHを逃すのを防止するように、可能なSRS位置を限定してよく、または切替え時間を限定してよい。別の例では、ダウンリンク送信時間区間(TTI:transmission time interval)が中断され得る場合など、UE115-aは、残りのダウンリンクサブフレームにわたってPDCCHを監視してよい。切替え時間、TDD構成、およびサブフレーム番号に基づいて、UE115-aは、EPDCCHを監視するのを控えてよく、またはPDCCHに切り替えてよい。
【００５５】
追加または代替として、UE115-aは、SRSを送信した後、ダウンリンク送信を中断してよい。SRS送信後に中断することは、送信においてより多くの回数で適用可能であり得、したがって、SRS送信前の中断よりも頻繁にSRS送信後に中断することが適切であり得る。場合によっては、PDCCHは、サブフレームを切り替える際に失われることがある。そのような場合、UE115-aが再同調に起因して最初のシンボルを失う場合、UE115-aは、PDCCHを復号しなくてよく、PDSCH割当てを識別しなくてよい。UE115-aは、PDCCHサブフレームの中でいくつかのシンボルを監視してよく、UE115-aは、いくつかのシンボル、たとえば、M個のシンボルをレートマッチングしてよく、ただし、Mは、切替え時間中に送信され得るシンボルの個数である。追加または代替として、PDCCHサブフレームの中で示されるPDSCHが別のCCからスケジュールされてよく、PDSCHはまた、最初のM個のシンボルの周辺でレートマッチングしてよい。
【００５６】
ルックアヘッド構成では、UE115-aは、衝突が発生する場合にいくつかの送信に優先度を付けてよい。たとえば、UE115-aは、ACK/NAK、非周期CSI(A-CSI)、ランクインジケータ(RI:rank indicator)、プリコーディングタイプインジケータ(PTI:precoding type indicator)、CSI-RSリソースインジケータ(CRI:CSI-RS resource indicator)、および/またはDMRSに最高の優先度を与えてよい。次いで、UE115-aは、それぞれ、非周期SRS(A-SRS)、周期CSI(P-CSI)、周期SRS(P-SRS)、およびPUSCHに優先度を付けてよい。いくつかの例では、UE115-aは、P-CSIに優先してP-SRSに優先度を付けてよい。優先度付けは、(たとえば、PUSCHまたはPUCCHの中のDMRSに対する影響に起因して)切替えが第1のスロットまたは第2のスロットに影響を及ぼすかどうかに基づいてよい。UE115-aがルックアヘッドを実行できない場合、UE115-aは、CC組合せのいくつかのセットに対するSRS切替えタイミングに基づいて、次のサブフレームがダウンリンクであるのかそれともアップリンクサブフレームであるのかを決定してよい。場合によっては(たとえば、P-SRSの場合)、後続のサブフレームがダウンリンクである場合、SRSが送信されてよい。そうでない場合、SRSは欠落させられてよい。A-SRSの場合には、UE115-aは、次のサブフレームを送信することを検討してよいが、欠落させてもよい。
【００５７】
別の例では、UE115-aは、SRSを送信すべきか否かを決定するために、後続のサブフレームへのルックアヘッドを行ってよい。すなわち、たとえば、次のサブフレームを見ることに基づいて、UE115-aは、SRSを送信すべきか否かを決定してよい。いくつかの例では、UE115-aは、再同調時間およびTDD構成に基づいて、SRSを送信すべきと決定してよい。場合によっては、UE115-aは、UE115-aがルックアヘッドを扱うための処理パワーを有するかどうかを示してよい。UE115-aがルックアヘッドを扱うことができる場合、SRS CC上のSRS送信は、SRS切替えを実行するためのUE115-aの能力に基づいて実行されてよい。SRS切替えを実行するためのUE115-aの能力は、周波数バンドもしくはCC組合せまたはその両方に基づいてよい。
【００５８】
UE115-aは、その能力、切替え時間、および様々な他のファクタに基づいて、ルックアヘッド動作を実行すべきと決定してよい。別の例では、SRS送信のためのルックアヘッドは、RRC構成または拡張干渉緩和およびトラフィック適合(eIMTA)インジケータに基づいて決定されてよい。いくつかの例では、類似の能力のUE115は、同じセットの中で同じ扱いをもたらすセットにグループ化されてよい。別の例では、SRS CCは、たとえば、上記で説明したようなスケジューリングによって変わることがある。スケジューリングに基づいてSRS送信を決定することは、DMRS、アップリンク制御情報(UCI:uplink control information)タイプ、および他の優先度付けパラメータに基づいてよい。
【００５９】
場合によっては、UE115-aは、チャネルのTDDフレーム構成に基づいて、ルックアヘッドを行うべきと決定してよい。下のTable 1(表1)は、TDDフレーム構成の様々な例を示し、ここで、「D」はダウンリンクサブフレームを表し、「U」はアップリンクサブフレームを表し、「S」は特殊サブフレームを表す。
【００６０】
【表１】
2019521600.tif 000003
【００６１】
UE115-aは、所与のCC用のフレーム構成に応じて、異なる時間において異なるサブフレームの中で送信してよい。SRS送信に対するタイミングは、そのように、採用されているフレーム構成によって決まり得る。SRSタイミングのいくつかの例が以下で説明される。
【００６２】
Table 1(表1)のフレーム構成1において、UE115-aは、特殊サブフレーム1または6(すなわち、それぞれ、SF1およびSF6)のアップリンクパイロットタイミングシンボル(UpPTS:uplink pilot timing symbol)の間、またはアップリンクサブフレーム2〜4もしくは7〜9の間、第2のCCの中でSRSを送信してよい。サブフレーム1〜3および6〜8に対して、後続のサブフレームはアップリンクサブフレームである。サブフレーム4または9に対して、後続のサブフレームはダウンリンクサブフレームである。Table 1(表1)のフレーム構成2では、UE115-aは、特殊サブフレーム1もしくは6のUpPTSまたはアップリンクサブフレーム2〜3もしくは7〜8の最後のシンボルの間、第2のCCの中でSRSを送信してよい。サブフレーム1〜2および6〜7に対して、後続のサブフレームはアップリンクサブフレームである。サブフレーム3および8に対して、後続のサブフレームはダウンリンクサブフレームである。
【００６３】
Table 1(表1)のフレーム構成3では、UE115-aは、特殊サブフレーム1もしくは6のUpPTSまたはアップリンクサブフレーム2もしくは7の最後のシンボルの間、第2のCCの中でSRSを送信してよい。サブフレーム1および6に対して、後続のサブフレームはアップリンクサブフレームである。サブフレーム2および7に対して、後続のサブフレームはダウンリンクサブフレームである。Table 1(表1)のフレーム構成4では、UE115-aは、特殊サブフレーム1のUpPTSまたはアップリンクサブフレーム2〜4の最後のシンボルの間、第2のCCの中でSRSを送信してよい。サブフレーム1〜3に対して、後続のサブフレームはアップリンクサブフレームである。サブフレーム4に対して、後続のサブフレームはダウンリンクサブフレームである。
【００６４】
Table 1(表1)のフレーム構成5では、UE115-aは、特殊サブフレーム1のUpPTSまたはアップリンクサブフレーム2〜3の最後のシンボルの間、第2のCCの中でSRSを送信してよい。サブフレーム1〜2に対して、後続のサブフレームはアップリンクサブフレームである。サブフレーム3に対して、後続のサブフレームはダウンリンクサブフレームである。Table 1(表1)のフレーム構成6では、UE115-aは、特殊サブフレーム1のUpPTSまたはアップリンクサブフレーム2の最後のシンボルの間、第2のCCの中でSRSを送信してよい。サブフレーム1に対して、後続のサブフレームはアップリンクサブフレームである。サブフレーム2に対して、後続のサブフレームはダウンリンクサブフレームである。Table 1(表1)のフレーム構成7では、UE115-aは、特殊サブフレーム1もしくは6のUpPTSまたはアップリンクサブフレーム2〜4もしくは7〜8の最後のシンボルの間、第2のCCの中でSRSを送信してよい。サブフレーム1〜3および6〜7に対して、後続のサブフレームはアップリンクサブフレームである。サブフレーム3および8に対して、後続のサブフレームはダウンリンクサブフレームである。
【００６５】
場合によっては、UE115-aは、チャネル相反性を得るためにアレイの各アンテナをサウンディングしてよい。しかしながら、いくつかのUE115は、利用可能なアンテナのすべてからの同時送信をサポートしないことがある。これらの場合、UE115-aは、アンテナ組合せまたはアンテナポート組合せにわたって送信を切り替えてよい。たとえば、UE115-aが、MIMO通信とアンテナにわたって送信を切り替えることの両方が可能である場合、UE115-aは、2つのアンテナを一度に使用してSRSを実行してよく、次いで、他の2つのアンテナからSRSを送信するように切り替えてよい。たとえば、UE115-aは、第1のシンボルの中でアンテナの第1のペアからSRSを送信してよい。次いで、第2のシンボルの中で、UE115-aは、アンテナの第2のペアからSRSを送信してよい。UE115-aは、異なるアンテナポートから同じ時点において送信されるSRS送信を多重化するために、異なるコーム(すなわち、周波数サブバンドを互い違いにするパターン)または巡回シフトを使用し得る。UE115-aは、シンボルにわたって同じまたは異なるコームまたは巡回シフトを使用してよい。
【００６６】
場合によっては、SRSを送信するためのキャリアから離れて再同調することに起因して、物理HARQインジケータチャネル(PHICH)または物理制御フォーマットインジケータチャネル(PCFICH)が逃されることがある。PHICHが逃される場合、UE115-aは、いくつかの例では、PHICHが存在しないかのように動作し得る。たとえば、UE115-aは、HARQプロセスを一時停止してよい。
【００６７】
PCFICH送信が逃される場合、UE115-aは、サブフレーム内での制御領域の長さの指示を逃すことがある。その結果、UE115-aは、PDSCH領域またはEPDCCH領域の開始シンボルを知らないことがある。したがって、場合によっては、PDSCH領域またはEPDCCH領域にとっての開始シンボルは標準化されてよく、または上位レイヤによって構成されてよい。場合によっては、UE115-aがSRSを送信するために離調する場合には、特定の標準的な開始シンボルが使用または想定されてよい。場合によっては、想定または指定された開始シンボルは、逃されたPCFICHの中で示されるような実際の開始シンボルに相当しないことがある。したがって、PDCCH領域は、PDSCH領域またはEPDCCH領域をパンクチャしてよい。この場合、UE115-aは、上位レイヤシグナリング(または、標準的な開始シンボル)に基づいて、メッセージをレートマッチングさせてよい。場合によっては、開始シンボルは、システム帯域幅に基づいてよい。
【００６８】
上位レイヤ通信または標準化されたデフォルトに基づいて開始シンボルを使用することに加えて、開始シンボルは、EPDCCHの中で(すなわち、DCIの中の追加フィールドを使用して)示されてよい。場合によっては、PDSCHトランスポートブロックサイズ(TBS)が、開始シンボルに基づいて(たとえば、0.75スケーリングを使用して)スケーリングされ得る。このことは、PDSCHまたはEPDCCHがサブフレームの末尾においてパンクチャされる場合に適用され得る。これらの場合におけるレートマッチングも、EPDCCHの中の、または上位レイヤによる、シグナリングを使用して達成され得る。
【００６９】
図3は、本開示の態様による、SRS切替えにおいて複数のアンテナおよび中断時間値を使用するSRS送信をサポートするCA構成300の一例を示す。
【００７０】
第1のCC305-aは、図2を参照しながら本明細書で説明したCCの一例であってよい。詳細には、第1のCC305-aは、プライマリCCすなわちPCellの一例であってよい。第1のCC305-aはまた、デュアル接続性構成(すなわち、理想的でないバックホールを使用して互いに通信する基地局105を越えて、アグリゲートされたCCを用いてUE115が通信するマルチキャリア構成)のプライマリSCell(PSCell)の一例であってよい。第2のCC305-bは、図2を参照しながら本明細書で説明したCCの一例であってよい。詳細には、第2のCC305-bは、セカンダリセルすなわちSCellの一例であってよい。いくつかの例では、第2のCC305-bは、主にダウンリンク送信のために構成されたTDDキャリアであってよい。
【００７１】
各CC305は、ダウンリンクサブフレーム310を含み得る。各CC305はまた、特殊サブフレーム315を含み得る。特殊サブフレーム315は、ガード期間によって分離されたアップリンク送信とダウンリンク送信の両方に対して構成可能であってよい。各CC305は、いくつかのアクティブなアップリンクサブフレーム320を含んでよく、ここで、アクティブなアップリンクサブフレーム320は、UE115による通信にとって利用可能なリソースであってよい。CC305はまた、アクティブでないアップリンクサブフレーム330を含み得る。いくつかの例では、UE115は、別のCC305(たとえば、第1のCC305-a)の中にアクティブなアップリンクサブフレーム320を有しながら、1つのCC305(たとえば、第2のCC305-b)の中にアクティブでないアップリンクサブフレーム330を有してよい。
【００７２】
UE115は、アクティブなアップリンクサブフレーム320-aの中でSRS325-aを送信し得る。SRS325-aは、アップリンクチャネル条件およびダウンリンクチャネル条件を決定するために、サービング基地局105によって使用され得る。UE115は、第2のCC305-bのアクティブでないアップリンクサブフレーム330-aの中でSRS325-bを送信し得る。UE115が第1のCC305-a上でアクティブなアップリンクサブフレーム320を有する場合、UE115は、無線を第2のCC305-bに再同調させてよく、アクティブでないサブフレーム330-aの間にSRS325-bを送信し得る。いくつかの例では、CC305-bは、ダウンリンク送信のために構成されたTDDキャリアであってよい。
【００７３】
図4は、SRS切替えにおける複数のアンテナおよび中断時間値のためのCC切替えパターン400の一例を示す。CC切替えパターン400は、UE115がSRSを送信するために第1のCC405-aから第2のCC405-bに再同調する一例を示し得る。
【００７４】
第1のCC405-aは、図2を参照しながら本明細書で説明したCC、または図3を参照しながら本明細書で説明したような第1のCC305-aの一例であってよい。第1のCC405-aは、プライマリCCすなわちPCellの一例であってよく、またはPSCellであってよい。第2のCC405-bは、図2を参照しながら本明細書で説明したCC、または図3を参照しながら本明細書で説明したような第2のCC305-bの一例であってよい。詳細には、第2のCC305-bは、セカンダリCCすなわちSCellの一例であってよい。いくつかの例では、CC305-bは、主にダウンリンク送信のために構成されたTDDキャリアであってよい。サブフレーム410-aの中での送信は、別のCC(すなわち、第2のCC405-b)上でSRSを送信するために、UE115によって欠落させられてよくまたはパンクチャされてよい。
【００７５】
たとえば、送信415は、UE再同調時間に基づいてUE115によって欠落させられてよくまたはパンクチャされてよい。たとえば、SRSがDMRSと衝突する場合、基地局105はPUSCH送信を首尾よく復号できないことがあり、UE115は送信415を欠落させてよい。いくつかの例では、UE115は、暗黙的な規則に基づいて、送信を欠落させるべきと決定してよい。たとえば、UE115が高い優先度の送信(たとえば、DMRS、ACK/NAK)と衝突する場合、UE115は、送信(たとえば、第1のCC405-aに対するサブフレーム410-a)全体を欠落させてよい。追加または代替として、UE115は、たとえば、サービングセルからの明示的な指示に基づいて、送信を欠落させるべきと決定してよく、サービングセルは、再同調期間420の中に含まれるシンボルのしきい値個数を示してよい。
【００７６】
再同調期間420-aは、UE115が第1のCC405-aから第2のCC405-bに再同調するために使用する時間期間を示し得る。再同調期間420-aの長さ(たとえば、シンボルの個数)は、UEの能力、再同調に関与するチャネル、サイクリックプレフィックス長、または様々な他のファクタに基づいてよい。いくつかの例では、再同調期間420-aは、高い優先度のシンボル、たとえば、DMRSまたはACKと衝突することがある。いくつかの例では、再同調期間420-aが高い優先度の送信と衝突する場合、UE115は、SRS425の送信を欠落させてよい。
【００７７】
SRS425は、図2を参照しながら本明細書で説明したようなSRS、または図3を参照しながら本明細書で説明したようなSRS325-aもしくは325-bの一例であってよい。SRS425は、アップリンクチャネル条件を基地局に示すために使用され得る。SRS425は、セカンダリCC(たとえば、SCellまたはSCC)上で、たとえば、主にダウンリンクTDD送信のために構成されるCC上で送信されてよい。
【００７８】
再同調期間420-bは、UE115が第2のCC405-bから第1のCC405-aに戻して再同調することの結果であり得る。再同調期間420-bは、サブフレーム410-bをパンクチャしてよい。しかしながら、再同調期間420-bは、高い優先度の信号、またはUE115がサブフレーム410-bの中で送信を欠落させるような送信(たとえば、DMRS、ACKなど)の部分と、衝突することがある。再同調期間420-aの長さ(たとえば、シンボルの個数)は、UEの能力に基づいてよい。送信を欠落させるべきかそれともパンクチャすべきかを決定することは、関与するチャネル、キャリアのサイクリックプレフィックス長、または様々な他のファクタに基づいてよい。
【００７９】
後続のサブフレームの中の利用可能なシンボル430も、UE115が第2のCC405-bから第1のCC405-aに戻して再同調するためにかかる時間に基づいてよい。したがって、利用可能なシンボル430の個数は、再同調期間420-bの長さに基づいてよい。場合によっては、利用可能なシンボル430は、サブフレーム410-bの間に送信を送信または受信するのに十分であり得るが、SRS425を送信することは、このサブフレームの中で送信を欠落させることまたはパンクチャすることにもつながることがある。したがって、場合によっては、UE115は、SRSを送信すべきかどうかを決定するために、本明細書で説明するようなルックアヘッドプロシージャを実行してよい。
【００８０】
図5は、SRS切替えにおける複数のアンテナおよび中断時間値のためのアップリンク/ダウンリンク送信パンクチャリングおよびレートマッチング500の一例を示す。場合によっては、SRSを送信するために異なるCCに切り替える間の再同調時間に起因して、いくつかのアップリンクリソースまたはダウンリンクリソースが潜在的に利用不可能な場合がある。
【００８１】
第1のCC505-aは、図2〜図4を参照しながら本明細書で説明したCC(たとえば、第1のCCまたはPCell)の一例であってよい。第1のCC505-aは、TDD構成型CCであってよい。第2のCC505-bは、図2〜図4を参照しながら本明細書で説明したCC(たとえば、第2のCC、SCell、またはSCC)の一例であってよい。いくつかの例では、第2のCC505-bは、主にダウンリンク送信のために構成されたTDDキャリアであってよい。
【００８２】
各CC505は、ダウンリンク監視のためのリソース510を含み得る。いくつかの例では、UE115は、現在のサブフレーム用または次回のサブフレーム用のTDD構成の指示を求めて監視し得る。各CC505は、ダウンリンクリソース515を含み得る。ダウンリンクリソース515の間、UE115は、DMRS、ACK/NAK情報、CSIなどの、ダウンリンク情報を受信し得る。場合によっては、UE115は、ダウンリンクリソース515の間にCCを切り替えてよい。
【００８３】
たとえば、UE115は、ダウンリンクリソース515-aの間に切り替えてよい。いくつかの例では、ダウンリンクリソース515-aは、ダウンリンクサブフレーム、および特殊サブフレームの部分の間に出現することがあり、第1のCC505-aと第2のCC505-bとの間で切り替える再同調時間に起因して、通信にとって利用不可能な場合がある。ダウンリンクリソース515-aの持続時間は、いくつかの例では、UE115の再同調時間に基づくことがある。UEの能力およびダウンリンクリソース515-aの持続時間に基づいて、UE115は、ダウンリンクリソース515-aを利用できることもできないこともある。たとえば、UE115がアップリンク送信のあまりに近くで切り替え始める場合、またはUE115が再同調するために長い時間をかける場合、UE115は、ダウンリンクリソース515-aを利用するための十分な時間を有しないことがある。追加または代替として、UE115がダウンリンクリソース515-aの間に高い優先度のダウンリンクシンボル(たとえば、DMRS、ACK/NAKなど)をパンクチャする場合、UE115は、ダウンリンクリソース515-aを欠落させることがある。
【００８４】
各CC505は、利用不可能なアップリンクリソース520を含むことがある。利用不可能なアップリンクリソース520は、UE115の(たとえば、第1のCC505-aから第2のCC505-bへの)切替え時間に相当し得る。たとえば、UE115が第2のCC505-bに切替え中であるかまたはすでに切り替えている(すなわち、再同調されている)ことがあるので、UE115は、利用不可能なアップリンクリソース520-aの間に第1のCC505-a上でアップリンク情報を送信できないことがある。利用不可能なアップリンクリソース520-aの持続時間は、UE115の再同調時間、およびSRS切替えに関与するチャネルに基づいてよい。利用不可能なアップリンクリソース520-aは、UE115が(たとえば、ダウンリンク送信の間または後、場合によっては、特殊サブフレームの間に)第2のCC505-bに再同調した後、かつUE115がアップリンクサブフレームの間に第1のCC505-aに再同調する前に出現することがある(すなわち、SRS送信の後にアップリンク送信を中断する)。利用不可能なアップリンクリソース520-aはまた、UE115が別のCC505によって送信している時に相当し得る。たとえば、UE115が第2のCC505-bによって送信する間、第1のCC505-aのアップリンクサブフレームは利用不可能であり得る。利用不可能なアップリンクリソース520-aはまた、UE115が第1のCC505-aにかつ第2のCC505-bから離れて再同調するときのUE115の再同調時間に基づくことがある。
【００８５】
いくつかの例では、UE115は、第2のCC505-bに切り替えた後、SRS525を送信してよい。SRS525は、アップリンクチャネル条件を基地局に示すために使用され得る。いくつかの例では、第1のCC505-aは、ダウンリンク送信の間の切替えのために中断されることがある。SRS525-aを送信するために第1のCC505-a上のダウンリンク送信を中断することは、ダウンリンク送信またはDwPTSに影響を及ぼすことがある。いくつかの例では、UE115は、UE115がダウンリンクサブフレームまたはDwPTSを逃すのを防止するように、SRS位置または切替え時間を限定してよい。追加または代替として、場合によっては、UE115は、EPDCCHの代わりにPDCCHを監視することに切り替えてよい。
【００８６】
UE115は、第1のCC505-aに戻して切り替えてよく、SRS525-aを送信した後にPUSCH530上で通信し始めてよい。たとえば、UE115は、PUSCH530の間にCCを第2のCC505-bから第1のCC505-aに切り替えてよい。PUSCH530の間に切り替えることは、UE115が第2のCC505-b上で送信している間、UE115が第1のCC505-aのアップリンクリソース上で送信するのを防止し得る。いくつかの例では、UE115は、CC505-aに戻る時にレートマッチングしてよい。
【００８７】
いくつかの例では、UE115がアップリンクサブフレームの間に(たとえば、PUSCH530の間に)第2のCC505-bに切り替える場合、UE115は、利用不可能なアップリンクリソース520-bの間に送信できないことがある。利用不可能なアップリンクリソース520-bは、上記で説明したような利用不可能なアップリンクリソース520-aと類似であってよい。利用不可能なアップリンクリソース520-bの持続時間は、ファクタの中でも、UE115の再同調時間、SRS切替えに関与するチャネル、またはサイクリックプレフィックス長に基づいてよい。
【００８８】
第2の時間にわたってCC505-bに切り替えた後、UE115は、SRS525-aと類似であってよいSRS525-bを送信してよい。SRS525-bを送信した後、UE115は、アップリンク送信(たとえば、PUSCH530)を中断してよい。
【００８９】
たとえば、UE115がアップリンク送信の間または後にCC505-bに切り替える場合、UE115は、ダウンリンク送信の間にCC505-aに切り替えてよい。いくつかの例では、UE115は、再同調時間およびUE115の能力に基づいて、ダウンリンクリソース515-bを利用できることもできないこともある。たとえば、UE115がダウンリンク送信の間に再同調した後にPDCCHを逃す場合、UE115は、PDSCH割当てを得ることができない場合があり、送信を欠落させてよい。UE115は、次いで、サブフレームの中でEPDCCHを監視してよい。UE115は、M個のシンボルの周辺でEPDCCHをレートマッチングさせてよく、ただし、MはUEの切替え時間の中で出現し得るシンボルの個数である。いくつかの例では、UE115がSRSを送信した後にアップリンク送信を中断する場合、UE115はPDCCHを逃すことがある。UE115がPDCCH情報を逃す場合、UE115はPDSCH割当てを得ることができない場合がある。
【００９０】
図6は、SRS切替えにおける複数のアンテナおよび中断時間値のためのプロセスフロー600の一例を示す。プロセスフロー600のステップは、図1および図2を参照しながら上記で説明したようなUE115および基地局105の例であってよい、UE115-bおよび基地局105-bによって実行され得る。
【００９１】
ステップ605において、UE115-bは、CA構成を確立し得る。UE115-bは、UE115-bが送信のために使用し得るいくつかのCCを識別し得る。UE115-bは、PCell、SCell、または任意の数のSCCを確立し得る。いくつかの例では、CCは、TDD通信のために構成されてよい。
【００９２】
ステップ610において、UE115-bは、無線を第1のCC、たとえば、PCellに同調させ得る。ステップ615において、UE115-bは、再同調時間を識別し得る。再同調時間は、ファクタの中でも、UE115-bの能力、UE115-bが無線を同調させ得る先のチャネルに基づいてよい。したがって、UE115-bは、CA構成の第1のキャリアおよびCA構成の第2のキャリア上で送信するための能力を識別し得、第1のキャリアは、TDDおよびFDDのために構成されてよく、かつアップリンク送信およびダウンリンク送信のために構成されてよく、第2のキャリアは、TDDおよびダウンリンク送信のために構成されてよい。
【００９３】
場合によっては、UE115-bは、能力(すなわち、再同調時間)の指示、または再同調時間がダウンリンク受信能力に影響を及ぼすかどうかという明示的な指示を基地局105-bへ送信し得る。
【００９４】
ステップ620において、UE115-bは、第2のキャリア上の可能性のあるSRS送信を識別し得、第1のキャリア上の通信と第2のキャリア上のSRSとの間の衝突を識別し得る。UE115-bはまた、送信またはキャリア(すなわち、PCell)のチャネル特性を識別し得る。たとえば、SRS送信は、スケジューリングによって変わることがあり、またはRRC構成もしくはeIMTAインジケータに基づくことがある。
【００９５】
ステップ625において、UE115-bは、アップリンク通信を基地局105-bへ送信し得る。しかしながら、場合によっては、送信は、SRSを送信することに基づいて欠落させられてよくまたはパンクチャされてよい。したがって、場合によっては、UE115-bは、ステップ615の識別された再同調時間に基づいて、アップリンク通信を基地局105-bへ送信しなくてよい。場合によっては、UE115-bは、通信をパンクチャしてよく、かつ/またはパンクチャすることに少なくとも部分的に基づいて、第1のキャリア上の通信に対してレートマッチングを実行してよい。
【００９６】
場合によっては、アップリンク通信を欠落させること、送信すること、またはパンクチャすること(または、ダウンリンク通信を取り囲むこと)は、通信の内容、チャネルタイプ、サイクリックプレフィックス長、またはそれらの任意の組合せに基づいてよい。衝突する通信を欠落させること、送信すること、またはパンクチャすることはまた、RRC構成またはeIMTA構成に基づいてよい。
【００９７】
場合によっては、UE115-bは、通信もしくはSRSまたはその両方を送信することが再同調時間しきい値に少なくとも部分的に基づき得るような、再同調時間しきい値を識別し得る。UE115-aは、再同調時間しきい値の指示を基地局105-bから受信し得る。場合によっては、UE115-bは、再同調時間がDMRSと衝突すると決定し得、通信もしくはSRSまたはその両方を送信することは、決定に少なくとも部分的に基づいてよい。場合によっては、UE115-bは、UE能力をネットワークへ送ってよく、ここで、能力は、再同調時間、および/または再同調時間がUEのダウンリンク受信能力に影響を及ぼすかどうかという指示を含み得る。
【００９８】
場合によっては、UE115-bは、能力(すなわち、再同調時間)に少なくとも部分的に基づいて制御チャネル監視モードを選択してよく、制御チャネル監視モードに少なくとも部分的に基づいて、制御チャネルを監視するのを控えてよい。たとえば、UE115-bは、再同調するためのサブフレームの後半の部分の間に著しい個数のシンボルを逃す場合、PDCCHのみを監視してよい。後続のサブフレームの間、UE115-bは、サブフレームの冒頭を逃すことがあるので、PDCCHの代わりにEPDCCHを監視してよい。基地局105-bは、制御監視モードを選択してよく、UE115-bに示してよい。場合によっては、プロセスは、サブフレームまたは次のサブフレームの中で監視すべき制御チャネルを決定することと、能力に基づいて、決定された制御チャネルを監視することがSRS送信によって途絶させられることになるとき、SRSを送信するのを控えることとを含んでよい。
【００９９】
場合によっては、UE115-bは、HARQフィードバック、A-CSI、CQI、DMRS、A-SRS、P-CSI、P-SRS、ユーザデータ、またはそれらの任意の組合せを含む、優先度付け方式を識別してよく、通信もしくはSRSまたはその両方を送信することは、優先度付け方式に基づいてよい。
【０１００】
場合によっては、UE115-bは、ルックアヘッド能力を識別してよく、通信もしくはSRSまたはその両方を送信することは、ルックアヘッド能力に基づいてよい。場合によっては、UE115-bは、ルックアヘッド能力の指示を基地局105-bへ送信してよい。場合によっては、ルックアヘッド能力は、第1のサブフレームに後続する第2のサブフレームの1つまたは複数の特性に基づいて、第1のサブフレームの間にSRSキャリア切替えを実行できることを含んでよい。場合によっては、ルックアヘッド能力は、第2のサブフレームに基づいてSRSキャリア切替えを実行できないことを含む。場合によっては、UE115-bは、ルックアヘッド能力に基づいて第1のキャリア上の通信を欠落させてよい。場合によっては、UE115-bは、ルックアヘッド能力に少なくとも部分的に基づいて、第1のルックアヘッドモードから第2のルックアヘッドモードに遷移してよい。
【０１０１】
ステップ630において、UE115-bは、SRSを送信するために無線を第2のCCに同調させ得る。たとえば、UE115-bは、無線をPCellからSCellに同調させてよい。場合によっては、無線を同調させることは、ステップ620において識別されたチャネル特性に基づいてよい。他の場合には、UE115-bは、再同調時間および1つまたは複数の特性に少なくとも部分的に基づいてSRSを欠落させてよく、したがって、UE115-bは、第2のキャリアに再同調しなくてよい。
【０１０２】
ステップ635において、UE115-bは、SRSを基地局105-bへ送信し得る。UE115-bがステップ630において無線を再同調させた場合、UE115-bはSRSを送信し得る。いくつかの例では、UE115-bは、主にダウンリンク送信のために構成されたTDD CCのアクティブでないアップリンクサブフレームの間にSRSを送信し得る。
【０１０３】
ステップ640において、UE115-bは、無線を第1のCCにかつ第2のCCから離れて(すなわち、第1のCCに戻して)同調させ得る。UE115-bがステップ630において第1のCCから離調させた場合のみ、UE115-bが無線を第1のCCに同調させ得ることに留意されたい。したがって、UE115-bは、UE115-bの能力(すなわち、再同調時間)に少なくとも部分的に基づいて、サブフレームの間に第1のキャリア上の通信もしくは第2のキャリア上のSRSまたはその両方を送信し得る。
【０１０４】
ステップ645において、UE115-bは、第1のキャリアに戻して再同調した後、ダウンリンク送信またはアップリンク送信を開始し得る。場合によっては、UE115-bは、再同調時間に基づいて後続の送信を欠落させてよくまたはパンクチャしてよい。
【０１０５】
場合によっては、UE115-bは、第1の複数のアンテナポートを使用して第1のサブフレーム上で第1のアップリンク通信(たとえば、第1のSRS)を送信してよく、第2の複数のアンテナポートを使用して第2のサブフレーム上で第2のアップリンク通信(たとえば、第2のSRS)を送信してよく、ここで、第2の複数のアンテナポートは、第1の複数のアンテナポートと重複しない。
【０１０６】
図7は、本開示の様々な態様による、SRS切替えにおける複数のアンテナおよび中断時間値をサポートするワイヤレスデバイス705のブロック図700を示す。ワイヤレスデバイス705は、図1を参照しながら説明したようなUE115の態様の一例であってよい。ワイヤレスデバイス705は、受信機710、UE SRS切替えマネージャ715、および送信機720を含み得る。ワイヤレスデバイス705はまた、プロセッサを含み得る。これらの構成要素の各々は、(たとえば、1つまたは複数のバスを介して)互いに通信していることがある。
【０１０７】
受信機710は、パケット、ユーザデータ、または様々な情報チャネル(たとえば、制御チャネル、データチャネル、ならびにSRS切替えにおける複数のアンテナおよび中断時間値に関する情報など)に付けられた制御情報などの、情報を受信し得る。情報は、デバイスの他の構成要素に伝えられ得る。受信機710は、図10を参照しながら説明するトランシーバ1035の態様の一例であってよい。
【０１０８】
UE SRS切替えマネージャ715は、図10を参照しながら説明するUE SRS切替えマネージャ1015の態様の一例であってよい。UE SRS切替えマネージャ715は、CA構成の第1のキャリアおよびCA構成の第2のキャリア上で送信するためのUEの能力を識別し得る。第1のキャリアは、TDDおよびFDDのために構成されてよく、かつアップリンク送信およびダウンリンク送信のために構成されてよく、第2のキャリアは、TDDおよびダウンリンク送信のために構成されてよい。場合によっては、UE SRS切替えマネージャ715は、第1のキャリア上の通信と第2のキャリア上のSRSとの間の、サブフレームにおける衝突を識別し得る。
【０１０９】
UE SRS切替えマネージャ715はまた、送信機720と組み合わせて、アンテナポートの第1のセットを使用して第1のサブフレーム上で第1のアップリンク通信を送信し得、アンテナポートの第2のセットを使用して第2のサブフレーム上で第2のアップリンク通信を送信し得、ここで、たとえば、アンテナポートの第2のセットは、アンテナポートの第1のセットと重複していない。
【０１１０】
送信機720は、デバイスの他の構成要素によって生成された信号を送信し得る。いくつかの例では、送信機720は、トランシーバモジュールの中で受信機710と一緒に置かれてよい。たとえば、送信機720は、図10を参照しながら説明するトランシーバ1035の態様の一例であってよい。送信機720は、単一のアンテナを含んでよく、またはアンテナのセットを含んでよい。
【０１１１】
送信機720は、UEの能力に基づいて、サブフレームの間に第1のキャリア上の通信もしくは第2のキャリア上のSRSまたはその両方を送信し得る。場合によっては、通信およびSRSは同じサブフレームの中にある。
【０１１２】
図8は、本開示の様々な態様による、SRS切替えにおける複数のアンテナおよび中断時間値をサポートするワイヤレスデバイス805のブロック図800を示す。ワイヤレスデバイス805は、図1および図7を参照しながら説明したようなワイヤレスデバイス705またはUE115の態様の一例であってよい。ワイヤレスデバイス805は、受信機810、UE SRS切替えマネージャ815、および送信機820を含み得る。ワイヤレスデバイス805はまた、プロセッサを含み得る。これらの構成要素の各々は、(たとえば、1つまたは複数のバスを介して)互いに通信していることがある。
【０１１３】
受信機810は、パケット、ユーザデータ、または様々な情報チャネル(たとえば、制御チャネル、データチャネル、ならびにSRS切替えにおける複数のアンテナおよび中断時間値に関する情報など)に関連付けられた制御情報などの、情報を受信し得る。情報は、デバイスの他の構成要素に伝えられ得る。受信機810は、図10を参照しながら説明するトランシーバ1035の態様の一例であってよい。
【０１１４】
UE SRS切替えマネージャ815は、図10を参照しながら説明するUE SRS切替えマネージャ1015の態様の一例であってよい。UE SRS切替えマネージャ815はまた、再同調能力構成要素825、衝突構成要素830、およびアンテナ切替え構成要素835を含み得る。
【０１１５】
再同調能力構成要素825は、CA構成の第1のキャリアおよびCA構成の第2のキャリア上で送信するためのUEの能力を識別し得、ここで、たとえば、第1のキャリアは、TDDおよびFDDのために構成され、かつアップリンク送信およびダウンリンク送信のために構成され、第2のキャリアは、TDDおよびダウンリンク送信のために構成される。いくつかの例では、再同調能力構成要素825は、再同調時間しきい値を識別し得る。第1のキャリア上の通信もしくは第2のキャリア上のSRSまたはその両方を送信することは、再同調時間しきい値に基づいてよい。再同調能力構成要素825は、再同調時間しきい値の指示を基地局から受信し得る。再同調能力構成要素825はまた、指示を受信することに基づいて再同調時間しきい値を識別し得る。場合によっては、第1のキャリア上の通信もしくは第2のキャリア上のSRSまたはその両方は、通信の内容、チャネルタイプ、サイクリックプレフィックス長、またはそれらの任意の組合せに基づいて送信される。
【０１１６】
衝突構成要素830は、第1のキャリア上の通信と第2のキャリア上のSRSとの間の、サブフレームにおける衝突を識別し得る。
【０１１７】
アンテナ切替え構成要素835は、アンテナポートの第1のセットを使用して第1のサブフレーム上で第1のアップリンク通信を送信し得、アンテナポートの第2のセットを使用して第2のサブフレーム上で第2のアップリンク通信を送信し得る。
【０１１８】
場合によっては、第1のアップリンク通信は第1のSRSであり、第2のアップリンク通信は第2のSRSである。場合によっては、第1のアップリンク通信は、アンテナポートの第1のセットの各々に関連付けられた巡回シフト(または、コーム)のセットを含む。場合によっては、第1のアップリンク通信は、アンテナポートの第1のセットの各々に関連付けられた周波数パターンのセットを含む。場合によっては、アンテナポートの第1のセットおよびアンテナポートの第2のセットは各々、2つのアンテナポートを含む。場合によっては、第1のアップリンク通信は、CA構成の第1のキャリア上で送信され、第2のアップリンク通信は、CA構成の第2のキャリア上で送信される。
【０１１９】
送信機820は、デバイスの他の構成要素によって生成された信号を送信し得る。いくつかの例では、送信機820は、トランシーバモジュールの中で受信機810と一緒に置かれてよい。たとえば、送信機820は、図10を参照しながら説明するトランシーバ1035の態様の一例であってよい。送信機820は、単一のアンテナを含んでよく、またはアンテナのセットを含んでよい。
【０１２０】
図9は、本開示の様々な態様による、SRS切替えにおける複数のアンテナおよび中断時間値をサポートするUE SRS切替えマネージャ915のブロック図900を示す。UE SRS切替えマネージャ915は、図7、図8、および図10を参照しながら説明するUE SRS切替えマネージャ715、UE SRS切替えマネージャ815、またはUE SRS切替えマネージャ1015の態様の一例であってよい。UE SRS切替えマネージャ915は、再同調能力構成要素920、衝突構成要素925、アンテナ切替え構成要素930、SRS欠落構成要素935、アップリンク送信欠落構成要素940、パンクチャリング構成要素945、レートマッチング構成要素950、再同調時間構成要素955、DMRS衝突構成要素960、ダウンリンク再同調構成要素965、制御監視構成要素970、優先度付け構成要素975、ルックアヘッド構成要素980、およびPDSCH開始シンボル構成要素985を含み得る。これらのモジュールの各々は、(たとえば、1つまたは複数のバスを介して)互いに直接または間接的に通信し得る。
【０１２１】
再同調能力構成要素920は、CA構成の第1のキャリアおよびCA構成の第2のキャリア上で送信するためのUEの能力を識別し得、ここで、たとえば、第1のキャリアが、TDDおよびFDDのために構成され、かつアップリンク送信およびダウンリンク送信のために構成され、第2のキャリアが、TDDおよびダウンリンク送信のために構成され、再同調時間しきい値を識別し得る。場合によっては、第1のキャリア上の通信もしくは第2のキャリア上のSRSまたはその両方を送信することは、再同調時間しきい値に基づく。いくつかの例では、再同調能力構成要素920は、再同調時間しきい値の指示を基地局から受信し得、場合によっては、再同調時間しきい値を識別することは、指示を受信することに基づいてよい。場合によっては、第1のキャリア上の通信もしくは第2のキャリア上のSRSまたはその両方は、RRC構成またはeIMTA構成に基づいて送信される。
【０１２２】
衝突構成要素925は、第1のキャリア上の通信と第2のキャリア上のSRSとの間の、サブフレームにおける衝突を識別し得る。アンテナ切替え構成要素930は、アンテナポートの第1のセットを使用して第1のサブフレーム上で第1のアップリンク通信を送信し得、アンテナポートの第2のセットを使用して第2のサブフレーム上で第2のアップリンク通信を送信し得る。アンテナポートの第2のセットは、アンテナポートの第1のセットと重複していないことがある。
【０１２３】
SRS欠落構成要素935は、UEの能力に基づいてSRSを欠落させ得、ここで、たとえば、通信は第1のキャリア上で送信される。アップリンク送信欠落構成要素940は、UEの能力に基づいて第1のキャリア上の通信を欠落させ得、ここで、たとえば、SRSが第2のキャリア上で送信され、SRSの送信に後続する通信をルックアヘッド能力に基づいて欠落させ得る。
【０１２４】
パンクチャ構成要素945は、UEの能力に基づいて第1のキャリア上の通信をパンクチャし得る。レートマッチング構成要素950は、パンクチャすることに基づいて第1のキャリア上の通信に対してレートマッチングを実行し得る。再同調時間構成要素955は、異なるCC上での通信のために無線を切り替えるための再同調時間を推定し得る。DMRS衝突構成要素960は、再同調時間が復調基準信号と衝突すると決定し得、第1のキャリア上の通信もしくは第2のキャリア上のSRSまたはその両方を送信することは、決定に基づいてよい。
【０１２５】
ダウンリンク再同調構成要素965は、UEの能力の指示、または再同調時間がダウンリンク受信能力に影響を及ぼすかどうかという明示的な指示を送信し得る。制御監視構成要素970は、UEの能力に基づいて制御チャネル監視モードを選択し得、制御チャネル監視モードに基づいて、制御チャネルを監視するのを控え得る。優先度付け構成要素975は、HARQフィードバック、A-CSI、CQI、DMRS、A-SRS、P-CSI、P-SRS、ユーザデータ、またはそれらの任意の組合せを含む、優先度付け方式を識別し得る。第1のキャリア上の通信もしくは第2のキャリア上のSRSまたはその両方を送信することは、優先度付け方式に基づいてよい。
【０１２６】
ルックアヘッド構成要素980は、ルックアヘッド能力を識別し得る。第1のキャリア上の通信もしくは第2のキャリア上のSRSまたはその両方を送信することは、ルックアヘッド能力に基づいてよく、ルックアヘッド能力の指示をサービング基地局へ送信し得、ルックアヘッド能力に基づいて第1のルックアヘッドモードから第2のルックアヘッドモードに遷移し得る。場合によっては、ルックアヘッド能力は、第1のサブフレームに後続する第2のサブフレームの1つまたは複数の特性に基づいて、第1のサブフレームの間にSRSキャリア切替えを実行できることを含む。場合によっては、ルックアヘッド能力は、第1のサブフレームに後続する第2のサブフレームの1つまたは複数の特性に基づいて、第1のサブフレームの間にSRSキャリア切替えを実行できないことを含む。
【０１２７】
PDSCH開始シンボル構成要素985は、SRSを送信するためにキャリアから離調することに起因してPCFICHメッセージが逃される場合に、PDCCH領域またはEPDCCH領域に対する開始シンボルを識別し得る。場合によっては、PDSCH開始シンボル構成要素985は、第2のキャリア上でSRSを送信することに少なくとも部分的に基づいて、PCFICH用に指定されたシンボル期間の間に第1のキャリアが監視されていないと決定し得、決定に少なくとも部分的に基づいてPDSCHまたはEPDCCHの開始シンボル期間を識別し得る。PDSCH開始シンボル構成要素985はまた、第2のキャリア上でSRSを送信する前に開始シンボルの指示を受信し得、ここで、開始シンボルを識別することは、指示を受信することに少なくとも部分的に基づく。場合によっては、PDSCH開始シンボル構成要素985は、識別された開始シンボルに少なくとも部分的に基づいてTBSをスケーリングし得る。いくつかの例では、開始シンボルは、第1のキャリアの帯域幅に基づいてよい。
【０１２８】
図10は、本開示の様々な態様による、SRS切替えにおける複数のアンテナおよび中断時間値をサポートするデバイス1005を含むシステム1000の図を示す。デバイス1005は、たとえば、図1、図7、および図8を参照しながら上記で説明したような、ワイヤレスデバイス705、ワイヤレスデバイス805、またはUE115の構成要素の一例であってよく、またはそれを含んでよい。デバイス1005は、通信を送信および受信するための構成要素を含む、双方向音声およびデータ通信のための構成要素を含んでよく、UE SRS切替えマネージャ1015、プロセッサ1020、メモリ1025、ソフトウェア1030、トランシーバ1035、アンテナ1040、およびI/Oコントローラ1045を含む。
【０１２９】
プロセッサ1020は、インテリジェントハードウェアデバイス(たとえば、汎用プロセッサ、デジタル信号プロセッサ(DSP)、中央処理装置(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ1020は、メモリコントローラを使用してメモリアレイを動作させるように構成され得る。他の場合には、メモリコントローラはプロセッサ1020の中に統合されてよい。プロセッサ1020は、様々な機能(たとえば、SRS切替えにおける複数のアンテナおよび中断時間値をサポートする機能またはタスク)を実行するために、メモリに記憶されたコンピュータ可読命令を実行するように構成され得る。
【０１３０】
メモリ1025は、ランダムアクセスメモリ(RAM)および読取り専用メモリ(ROM)を含み得る。メモリ1025は、実行されたとき、本明細書で説明する様々な機能をプロセッサに実行させる命令を含む、コンピュータ可読コンピュータ実行可能ソフトウェア1030を記憶し得る。場合によっては、メモリ1025は、特に周辺構成要素または周辺デバイスとの相互作用などの基本ハードウェアおよび/またはソフトウェア動作を制御し得る基本入出力システム(BIOS)を含み得る。
【０１３１】
ソフトウェア1030は、SRS切替えにおける複数のアンテナおよび中断時間値をサポートするためのコードを含む、本開示の態様を実施するためのコードを含み得る。ソフトウェア1030は、システムメモリまたは他のメモリなどの、非一時的コンピュータ可読媒体に記憶され得る。場合によっては、ソフトウェア1030は、プロセッサによって直接実行可能でないことがあるが、(たとえば、コンパイルおよび実行されたとき)本明細書で説明する機能をコンピュータに実行させてよい。
【０１３２】
トランシーバ1035は、上記で説明したように、1つまたは複数のアンテナ、有線リンク、またはワイヤレスリンクを介して、双方向に通信し得る。たとえば、トランシーバ1035は、ワイヤレストランシーバを表してよく、別のワイヤレストランシーバと双方向に通信し得る。トランシーバ1035はまた、送信のためにパケットを変調するとともに被変調パケットをアンテナに提供するための、またアンテナから受信されたパケットを復調するための、モデムを含み得る。
【０１３３】
場合によっては、ワイヤレスデバイスは、単一のアンテナ1040を含み得る。しかしながら、場合によっては、デバイスは、複数のワイヤレス送信を並行して送信または受信することが可能であり得る2つ以上のアンテナ1040を有してよい。
【０１３４】
I/Oコントローラ1045は、デバイス1005のための入力信号および出力信号を管理し得る。I/Oコントローラ1045はまた、デバイス1005の中に統合されていない周辺装置を管理し得る。場合によっては、I/Oコントローラ1045は、外部の周辺装置への物理接続またはポートを表すことがある。場合によっては、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または知られている別のオペレーティングシステムなどの、オペレーティングシステムを利用し得る。
【０１３５】
図11は、本開示の様々な態様による、SRS切替えにおける複数のアンテナおよび中断時間値をサポートするワイヤレスデバイス1105のブロック図1100を示す。ワイヤレスデバイス1105は、図1を参照しながら説明したような基地局105の態様の一例であってよい。ワイヤレスデバイス1105は、受信機1110、基地局SRS切替えマネージャ1115、および送信機1120を含み得る。ワイヤレスデバイス1105はまた、プロセッサを含み得る。これらの構成要素の各々は、(たとえば、1つまたは複数のバスを介して)互いに通信していることがある。
【０１３６】
受信機1110は、パケット、ユーザデータ、または様々な情報チャネル(たとえば、制御チャネル、データチャネル、ならびにSRS切替えにおける複数のアンテナおよび中断時間値に関する情報など)に関連付けられた制御情報などの、情報を受信し得る。情報は、デバイスの他の構成要素に伝えられ得る。受信機1110は、図14を参照しながら説明するトランシーバ1435の態様の一例であってよい。
【０１３７】
基地局SRS切替えマネージャ1115は、図14を参照しながら説明する基地局SRS切替えマネージャ1415の態様の一例であってよい。基地局SRS切替えマネージャ1115は、受信機1110と組み合わせて、UEのための再同調時間がダウンリンク受信能力に影響を及ぼすという指示を受信し得、送信機1120と組み合わせて、UEのための再同調時間、およびダウンリンク受信能力に基づいて、制御チャネル監視モードの指示を送信し得る。
【０１３８】
送信機1120は、デバイスの他の構成要素によって生成された信号を送信し得る。いくつかの例では、送信機1120は、トランシーバモジュールの中で受信機1110と一緒に置かれてよい。たとえば、送信機1120は、図14を参照しながら説明するトランシーバ1435の態様の一例であってよい。送信機1120は、単一のアンテナを含んでよく、またはアンテナのセットを含んでよい。送信機1120は、制御チャネル監視モードに基づいて、ダウンリンク制御チャネル、SRSトリガ、またはその両方を送信し得る。
【０１３９】
図12は、本開示の様々な態様による、SRS切替えにおける複数のアンテナおよび中断時間値をサポートするワイヤレスデバイス1205のブロック図1200を示す。ワイヤレスデバイス1205は、図1および図11を参照しながら説明したようなワイヤレスデバイス1105または基地局105の態様の一例であってよい。ワイヤレスデバイス1205は、受信機1210、基地局SRS切替えマネージャ1215、および送信機1220を含み得る。ワイヤレスデバイス1205はまた、プロセッサを含み得る。これらの構成要素の各々は、(たとえば、1つまたは複数のバスを介して)互いに通信していることがある。
【０１４０】
受信機1210は、パケット、ユーザデータ、または様々な情報チャネル(たとえば、制御チャネル、データチャネル、ならびにSRS切替えにおける複数のアンテナおよび中断時間値に関する情報など)に関連付けられた制御情報などの、情報を受信し得る。情報は、デバイスの他の構成要素に伝えられ得る。受信機1210は、図14を参照しながら説明するトランシーバ1435の態様の一例であってよい。
【０１４１】
基地局SRS切替えマネージャ1215は、図14を参照しながら説明する基地局SRS切替えマネージャ1415の態様の一例であってよい。基地局SRS切替えマネージャ1215はまた、再同調能力構成要素1225および制御監視構成要素1230を含み得る。
【０１４２】
再同調能力構成要素1225は、UEのための再同調時間がダウンリンク受信能力に影響を及ぼすという指示を受信し得る。制御監視構成要素1230は、UEのための再同調時間、およびダウンリンク受信能力に基づいて、制御チャネル監視モードの指示を送信し得る。場合によっては、制御チャネル監視モードは、SRS送信前のサブフレームの間に拡張物理ダウンリンク制御チャネル(EPDCCH)を監視することを除外する。場合によっては、制御チャネル監視モードは、SRS送信に後続するサブフレームの間にPDCCHを監視することを除外する。
【０１４３】
送信機1220は、デバイスの他の構成要素によって生成された信号を送信し得る。いくつかの例では、送信機1220は、トランシーバモジュールの中で受信機1210と一緒に置かれてよい。たとえば、送信機1220は、図14を参照しながら説明するトランシーバ1435の態様の一例であってよい。送信機1220は、単一のアンテナを含んでよく、またはアンテナのセットを含んでよい。
【０１４４】
図13は、本開示の様々な態様による、SRS切替えにおける複数のアンテナおよび中断時間値をサポートする基地局SRS切替えマネージャ1315のブロック図1300を示す。基地局SRS切替えマネージャ1315は、図11、図12、および図14を参照しながら説明する基地局SRS切替えマネージャ1415の態様の一例であってよい。基地局SRS切替えマネージャ1315は、再同調能力構成要素1320、制御監視構成要素1325、PDCCH構成要素1330、EPDCCH構成要素1335、ルックアヘッド構成要素1340、およびPDSCH開始シンボル構成要素1345を含み得る。これらのモジュールの各々は、(たとえば、1つまたは複数のバスを介して)互いに直接または間接的に通信し得る。
【０１４５】
再同調能力構成要素1320は、受信機1210と組み合わせて、UEのための再同調時間がダウンリンク受信能力に影響を及ぼすという指示を受信し得る。制御監視構成要素1325は、UEのための再同調時間、およびダウンリンク受信能力に基づいて、制御チャネル監視モードの指示を送信し得る。場合によっては、制御チャネル監視モードは、SRS送信前のサブフレームの間に拡張物理ダウンリンク制御チャネル(EPDCCH)を監視することを除外する。場合によっては、制御チャネル監視モードは、SRS送信に後続するサブフレームの間にPDCCHを監視することを除外する。
【０１４６】
PDCCH構成要素1330は、送信機1220と組み合わせて、SRS送信前のサブフレームの間にPDCCHを送信し得る。EPDCCH構成要素1335は、SRS送信に後続するサブフレームの後、拡張物理ダウンリンク制御チャネル(EPDCCH)を送信し得る。ルックアヘッド構成要素1340は、ルックアヘッド容量の指示をUEから受信し得る。PDSCH開始シンボル構成要素1345は、PDSCH領域またはEPDCCH領域に対する開始シンボルを識別し得、(たとえば、上位レイヤシグナリングを使用して)UE115にシグナリングし得る。いくつかの例では、開始シンボルは、第1のキャリアの帯域幅に基づいてよい。
【０１４７】
図14は、本開示の様々な態様による、SRS切替えにおける複数のアンテナおよび中断時間値をサポートするデバイス1405を含むシステム1400の図を示す。デバイス1405は、たとえば、図1を参照しながら上記で説明したような、基地局105の構成要素の一例であってよく、またはそれを含んでよい。デバイス1405は、通信を送信および受信するための構成要素を含む、双方向音声およびデータ通信のための構成要素を含んでよく、基地局SRS切替えマネージャ1415、プロセッサ1420、メモリ1425、ソフトウェア1430、トランシーバ1435、アンテナ1440、ネットワーク通信マネージャ1445、および基地局通信マネージャ1450を含む。
【０１４８】
プロセッサ1420は、インテリジェントハードウェアデバイス(たとえば、汎用プロセッサ、デジタル信号プロセッサ(DSP)、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1420は、メモリコントローラを使用してメモリアレイを動作させるように構成され得る。他の場合には、メモリコントローラはプロセッサ1420の中に統合されてよい。プロセッサ1420は、様々な機能(たとえば、SRS切替えにおける複数のアンテナおよび中断時間値をサポートする機能またはタスク)を実行するために、メモリに記憶されたコンピュータ可読命令を実行するように構成され得る。
【０１４９】
メモリ1425は、ランダムアクセスメモリ(RAM)および読取り専用メモリ(ROM)を含み得る。メモリ1425は、実行されたとき、本明細書で説明する様々な機能をプロセッサに実行させる命令を含む、コンピュータ可読コンピュータ実行可能ソフトウェア1430を記憶し得る。場合によっては、メモリ1425は、特に周辺構成要素または周辺デバイスとの相互作用などの基本ハードウェアおよび/またはソフトウェア動作を制御し得る基本入出力システム(BIOS)を含み得る。
【０１５０】
ソフトウェア1430は、SRS切替えにおける複数のアンテナおよび中断時間値をサポートするためのコードを含む、本開示の態様を実施するためのコードを含み得る。ソフトウェア1430は、システムメモリまたは他のメモリなどの、非一時的コンピュータ可読媒体に記憶され得る。場合によっては、ソフトウェア1430は、プロセッサによって直接実行可能でないことがあるが、(たとえば、コンパイルおよび実行されたとき)本明細書で説明する機能をコンピュータに実行させてよい。
【０１５１】
トランシーバ1435は、上記で説明したように、1つまたは複数のアンテナ、有線リンク、またはワイヤレスリンクを介して、双方向に通信し得る。たとえば、トランシーバ1435は、ワイヤレストランシーバを表してよく、別のワイヤレストランシーバと双方向に通信し得る。トランシーバ1435はまた、送信のためにパケットを変調するとともに被変調パケットをアンテナに提供するための、またアンテナから受信されたパケットを復調するための、モデムを含み得る。場合によっては、ワイヤレスデバイスは、単一のアンテナ1440を含み得る。しかしながら、場合によっては、デバイスは、複数のワイヤレス送信を並行して送信または受信することが可能であり得る2つ以上のアンテナ1440を有してよい。
【０１５２】
ネットワーク通信マネージャ1445は、(たとえば、1つまたは複数の有線バックホールリンクを介した)コアネットワークとの通信を管理し得る。たとえば、ネットワーク通信マネージャ1445は、1つまたは複数のUE115などのクライアントデバイスのためのデータ通信の転送を管理し得る。
【０１５３】
基地局通信マネージャ1450は、他の基地局105との通信を管理し得、他の基地局105と協働してUE115との通信を制御するためのコントローラまたはスケジューラを含み得る。たとえば、基地局通信マネージャ1450は、ビームフォーミングまたはジョイント送信などの様々な干渉緩和技法のために、UE115への送信用のスケジューリングを協調させ得る。いくつかの例では、基地局通信マネージャ1450は、基地局105間で通信を行うために、LTE/LTE-Aワイヤレス通信ネットワーク技術内のX2インターフェースを提供し得る。
【０１５４】
図15は、本開示の様々な態様による、SRS切替えにおける複数のアンテナおよび中断時間値のための方法1500を示すフローチャートを示す。方法1500の動作は、本明細書で説明するようなUE115またはその構成要素によって実施され得る。たとえば、方法1500の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１５５】
ブロック1505において、UE115は、CA構成の第1のキャリアおよびCA構成の第2のキャリア上で送信するためのUEの能力を識別し得る。第1のキャリアは、TDDおよびFDDのために構成されてよく、かつアップリンク送信およびダウンリンク送信のために構成されてよく、第2のキャリアは、TDDおよびダウンリンク送信のために構成されてよい。ブロック1505の動作は、図1〜図6を参照しながら説明した方法に従って実行され得る。いくつかの例では、ブロック1505の動作の態様は、図7〜図10を参照しながら説明したような再同調能力構成要素によって実行され得る。
【０１５６】
ブロック1510において、UE115は、第1のキャリア上の通信と第2のキャリア上のSRSとの間の、サブフレームにおける衝突を識別し得る。ブロック1510の動作は、図1〜図6を参照しながら説明した方法に従って実行され得る。いくつかの例では、ブロック1510の動作の態様は、図7〜図10を参照しながら説明したような衝突構成要素によって実行され得る。
【０１５７】
ブロック1515において、UE115は、UEの能力に基づいて、サブフレームの間に第1のキャリア上の通信もしくは第2のキャリア上のSRSまたはその両方を送信し得る。ブロック1515の動作は、図1〜図6を参照しながら説明した方法に従って実行され得る。いくつかの例では、ブロック1515の動作の態様は、図7〜図10を参照しながら説明したような送信機によって実行され得る。
【０１５８】
図16は、本開示の様々な態様による、SRS切替えにおける複数のアンテナおよび中断時間値のための方法1600を示すフローチャートを示す。方法1600の動作は、本明細書で説明するようなUE115またはその構成要素によって実施され得る。たとえば、方法1600の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１５９】
ブロック1605において、UE115は、CA構成の第1のキャリアおよびCA構成の第2のキャリア上で送信するためのUEの能力を識別し得、ここで、たとえば、第1のキャリアは、TDDおよびFDDのために構成され、かつアップリンク送信およびダウンリンク送信のために構成され、第2のキャリアは、TDDおよびダウンリンク送信のために構成される。ブロック1605の動作は、図1〜図6を参照しながら説明した方法に従って実行され得る。いくつかの例では、ブロック1605の動作の態様は、図7〜図10を参照しながら説明したような再同調能力構成要素によって実行され得る。
【０１６０】
ブロック1610において、UE115は、第1のキャリア上の通信と第2のキャリア上のSRSとの間の、サブフレームにおける衝突を識別し得る。ブロック1610の動作は、図1〜図6を参照しながら説明した方法に従って実行され得る。いくつかの例では、ブロック1610の動作の態様は、図7〜図10を参照しながら説明したような衝突構成要素によって実行され得る。
【０１６１】
ブロック1615において、UE115は、UEの能力に基づいてSRSを欠落させ得、ここで、たとえば、通信は第1のキャリア上で送信される。ブロック1615の動作は、図1〜図6を参照しながら説明した方法に従って実行され得る。いくつかの例では、ブロック1615の動作の態様は、図7〜図10を参照しながら説明したようなSRS欠落構成要素によって実行され得る。
【０１６２】
ブロック1620において、UE115は、UEの能力に基づいて第1のキャリア上の通信を欠落させ得、ここで、たとえば、SRSは第2のキャリア上で送信される。ブロック1620の動作は、図1〜図6を参照しながら説明した方法に従って実行され得る。いくつかの例では、ブロック1620の動作の態様は、図7〜図10を参照しながら説明したようなアップリンク送信欠落構成要素によって実行され得る。
【０１６３】
ブロック1625において、UE115は、UEの能力に基づいて、サブフレームの間に第1のキャリア上の通信もしくは第2のキャリア上のSRSまたはその両方を送信し得る。ブロック1625の動作は、図1〜図6を参照しながら説明した方法に従って実行され得る。いくつかの例では、ブロック1625の動作の態様は、図7〜図10を参照しながら説明したような送信機によって実行され得る。
【０１６４】
図17は、本開示の様々な態様による、SRS切替えにおける複数のアンテナおよび中断時間値のための方法1700を示すフローチャートを示す。方法1700の動作は、本明細書で説明するようなUE115またはその構成要素によって実施され得る。たとえば、方法1700の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１６５】
ブロック1705において、UE115は、CA構成の第1のキャリアおよびCA構成の第2のキャリア上で送信するためのUEの能力を識別し得る。第1のキャリアは、TDDおよびFDDのために構成されてよく、かつアップリンク送信およびダウンリンク送信のために構成されてよく、第2のキャリアは、TDDおよびダウンリンク送信のために構成されてよい。ブロック1705の動作は、図1〜図6を参照しながら説明した方法に従って実行され得る。いくつかの例では、ブロック1705の動作の態様は、図7〜図10を参照しながら説明したような再同調能力構成要素によって実行され得る。
【０１６６】
ブロック1710において、UE115は、第1のキャリア上の通信と第2のキャリア上のSRSとの間の、サブフレームにおける衝突を識別し得る。ブロック1710の動作は、図1〜図6を参照しながら説明した方法に従って実行され得る。いくつかの例では、ブロック1710の動作の態様は、図7〜図10を参照しながら説明したような衝突構成要素によって実行され得る。
【０１６７】
ブロック1715において、UE115は、UEの能力に基づいて第1のキャリア上の通信をパンクチャし得る。ブロック1715の動作は、図1〜図6を参照しながら説明した方法に従って実行され得る。いくつかの例では、ブロック1715の動作の態様は、図7〜図10を参照しながら説明したようなパンクチャリング構成要素によって実行され得る。
【０１６８】
ブロック1720において、UE115は、パンクチャすることに基づいて第1のキャリア上の通信に対してレートマッチングを実行し得る。ブロック1720の動作は、図1〜図6を参照しながら説明した方法に従って実行され得る。いくつかの例では、ブロック1720の動作の態様は、図7〜図10を参照しながら説明したようなレートマッチング構成要素によって実行され得る。
【０１６９】
ブロック1725において、UE115は、UEの能力に基づいて、サブフレームの間に第1のキャリア上の通信もしくは第2のキャリア上のSRSまたはその両方を送信し得る。ブロック1725の動作は、図1〜図6を参照しながら説明した方法に従って実行され得る。いくつかの例では、ブロック1725の動作の態様は、図7〜図10を参照しながら説明したような送信機によって実行され得る。
【０１７０】
図18は、本開示の様々な態様による、SRS切替えにおける複数のアンテナおよび中断時間値のための方法1800を示すフローチャートを示す。方法1800の動作は、本明細書で説明するようなUE115またはその構成要素によって実施され得る。たとえば、方法1800の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１７１】
ブロック1805において、UE115は、CA構成の第1のキャリアおよびCA構成の第2のキャリア上で送信するためのUEの能力を識別し得、ここで、たとえば、第1のキャリアは、TDDおよびFDDのために構成され、かつアップリンク送信およびダウンリンク送信のために構成され、第2のキャリアは、TDDおよびダウンリンク送信のために構成される。ブロック1805の動作は、図1〜図6を参照しながら説明した方法に従って実行され得る。いくつかの例では、ブロック1805の動作の態様は、図7〜図10を参照しながら説明したような再同調能力構成要素によって実行され得る。
【０１７２】
ブロック1810において、UE115は、第1のキャリア上の通信と第2のキャリア上のSRSとの間の、サブフレームにおける衝突を識別し得る。ブロック1810の動作は、図1〜図6を参照しながら説明した方法に従って実行され得る。いくつかの例では、ブロック1810の動作の態様は、図7〜図10を参照しながら説明したような衝突構成要素によって実行され得る。
【０１７３】
ブロック1815において、UE115は、再同調時間が復調基準信号と衝突すると決定し得、ここで、第1のキャリア上の通信もしくは第2のキャリア上のSRSまたはその両方を送信することは、決定に基づいてよい。ブロック1815の動作は、図1〜図6を参照しながら説明した方法に従って実行され得る。いくつかの例では、ブロック1815の動作の態様は、図7〜図10を参照しながら説明したようなDMRS衝突構成要素によって実行され得る。
【０１７４】
ブロック1820において、UE115は、UEの能力に基づいて、サブフレームの間に第1のキャリア上の通信もしくは第2のキャリア上のSRSまたはその両方を送信し得る。ブロック1820の動作は、図1〜図6を参照しながら説明した方法に従って実行され得る。いくつかの例では、ブロック1820の動作の態様は、図7〜図10を参照しながら説明したような送信機によって実行され得る。
【０１７５】
図19は、本開示の様々な態様による、SRS切替えにおける複数のアンテナおよび中断時間値のための方法1900を示すフローチャートを示す。方法1900の動作は、本明細書で説明するようなUE115またはその構成要素によって実施され得る。たとえば、方法1900の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１７６】
ブロック1905において、UE115は、CA構成の第1のキャリアおよびCA構成の第2のキャリア上で送信するためのUEの能力を識別し得、ここで、たとえば、第1のキャリアは、TDDおよびFDDのために構成され、かつアップリンク送信およびダウンリンク送信のために構成され、第2のキャリアは、TDDおよびダウンリンク送信のために構成される。ブロック1905の動作は、図1〜図6を参照しながら説明した方法に従って実行され得る。いくつかの例では、ブロック1905の動作の態様は、図7〜図10を参照しながら説明したような再同調能力構成要素によって実行され得る。
【０１７７】
ブロック1910において、UE115は、第1のキャリア上の通信と第2のキャリア上のSRSとの間の、サブフレームにおける衝突を識別し得る。ブロック1910の動作は、図1〜図6を参照しながら説明した方法に従って実行され得る。いくつかの例では、ブロック1910の動作の態様は、図7〜図10を参照しながら説明したような衝突構成要素によって実行され得る。
【０１７８】
ブロック1915において、UE115は、UEの能力の指示、または再同調時間がダウンリンク受信能力に影響を及ぼすかどうかという明示的な指示を送信し得る。ブロック1915の動作は、図1〜図6を参照しながら説明した方法に従って実行され得る。いくつかの例では、ブロック1915の動作の態様は、図7〜図10を参照しながら説明したようなダウンリンク再同調構成要素によって実行され得る。
【０１７９】
ブロック1920において、UE115は、UEの能力に基づいて、サブフレームの間に第1のキャリア上の通信もしくは第2のキャリア上のSRSまたはその両方を送信し得る。ブロック1920の動作は、図1〜図6を参照しながら説明した方法に従って実行され得る。いくつかの例では、ブロック1920の動作の態様は、図7〜図10を参照しながら説明したような送信機によって実行され得る。
【０１８０】
図20は、本開示の様々な態様による、SRS切替えにおける複数のアンテナおよび中断時間値のための方法2000を示すフローチャートを示す。方法2000の動作は、本明細書で説明するようなUE115またはその構成要素によって実施され得る。たとえば、方法2000の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１８１】
ブロック2005において、UE115は、CA構成の第1のキャリアおよびCA構成の第2のキャリア上で送信するためのUEの能力を識別し得、ここで、たとえば、第1のキャリアは、TDDおよびFDDのために構成され、かつアップリンク送信およびダウンリンク送信のために構成され、第2のキャリアは、TDDおよびダウンリンク送信のために構成される。ブロック2005の動作は、図1〜図6を参照しながら説明した方法に従って実行され得る。いくつかの例では、ブロック2005の動作の態様は、図7〜図10を参照しながら説明したような再同調能力構成要素によって実行され得る。
【０１８２】
ブロック2010において、UE115は、第1のキャリア上の通信と第2のキャリア上のSRSとの間の、サブフレームにおける衝突を識別し得る。ブロック2010の動作は、図1〜図6を参照しながら説明した方法に従って実行され得る。いくつかの例では、ブロック2010の動作の態様は、図7〜図10を参照しながら説明したような衝突構成要素によって実行され得る。
【０１８３】
ブロック2015において、UE115は、ルックアヘッド能力を識別し得、ここで、第1のキャリア上の通信もしくは第2のキャリア上のSRSまたはその両方を送信することは、ルックアヘッド能力に基づいてよい。ブロック2015の動作は、図1〜図6を参照しながら説明した方法に従って実行され得る。いくつかの例では、ブロック2015の動作の態様は、図7〜図10を参照しながら説明したようなルックアヘッド構成要素によって実行され得る。
【０１８４】
ブロック2020において、UE115は、UEの能力に基づいて、サブフレームの間に第1のキャリア上の通信もしくは第2のキャリア上のSRSまたはその両方を送信し得る。ブロック2020の動作は、図1〜図6を参照しながら説明した方法に従って実行され得る。いくつかの例では、ブロック2020の動作の態様は、図7〜図10を参照しながら説明したような送信機によって実行され得る。
【０１８５】
図21は、本開示の様々な態様による、SRS切替えにおける複数のアンテナおよび中断時間値のための方法2100を示すフローチャートを示す。方法2100の動作は、本明細書で説明するようなUE115またはその構成要素によって実施され得る。たとえば、方法2100の動作は、図7〜図10を参照しながら説明したようなUE SRS切替えマネージャによって実行されてよい。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行してよい。
【０１８６】
ブロック2105において、UE115は、アンテナポートの第1のセットを使用して第1のサブフレーム上で第1のアップリンク通信を送信し得る。ブロック2105の動作は、図1〜図6を参照しながら説明した方法に従って実行され得る。いくつかの例では、ブロック2105の動作の態様は、図7〜図10を参照しながら説明したようなアンテナ切替え構成要素によって実行され得る。
【０１８７】
ブロック2110において、UE115は、アンテナポートの第2のセットを使用して第2のサブフレーム上で第2のアップリンク通信を送信し得、ここで、アンテナポートの第2のセットは、アンテナポートの第1のセットと重複していないことがある。ブロック2110の動作は、図1〜図6を参照しながら説明した方法に従って実行され得る。いくつかの例では、ブロック2110の動作の態様は、図7〜図10を参照しながら説明したようなアンテナ切替え構成要素によって実行され得る。
【０１８８】
図22は、本開示の様々な態様による、SRS切替えにおける複数のアンテナおよび中断時間値のための方法2200を示すフローチャートを示す。方法2200の動作は、本明細書で説明するような基地局105またはその構成要素によって実施され得る。たとえば、方法2200の動作は、図11〜図14を参照しながら説明したような基地局SRS切替えマネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行してよい。
【０１８９】
ブロック2205において、基地局105は、UEのための再同調時間がダウンリンク受信能力に影響を及ぼすという指示を受信し得る。ブロック2205の動作は、図1〜図6を参照しながら説明した方法に従って実行され得る。いくつかの例では、ブロック2205の動作の態様は、図11〜図14を参照しながら説明したような再同調能力構成要素によって実行され得る。
【０１９０】
ブロック2210において、基地局105は、UEのための再同調時間、およびダウンリンク受信能力に基づいて、制御チャネル監視モードの指示を送信し得る。ブロック2210の動作は、図1〜図6を参照しながら説明した方法に従って実行され得る。いくつかの例では、ブロック2210の動作の態様は、図11〜図14を参照しながら説明したような制御監視構成要素によって実行され得る。
【０１９１】
ブロック2215において、基地局105は、制御チャネル監視モードに基づいて、ダウンリンク制御チャネル、SRSトリガ、またはその両方を送信し得る。ブロック2215の動作は、図1〜図6を参照しながら説明した方法に従って実行され得る。いくつかの例では、ブロック2215の動作の態様は、図11〜図14を参照しながら説明したような送信機によって実行され得る。
【０１９２】
上記で説明した方法が、可能な実装形態を説明すること、ならびに動作およびステップが並べ替えられてよくまたは別の方法で修正されてよく、他の実装形態が可能であることに留意されたい。さらに、方法のうちの2つ以上からの態様が組み合わせられてよい。
【０１９３】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、UTRAなどの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形態を含む。時分割多元接続(TDMA)システムは、モバイル通信用グローバルシステム(GSM(登録商標))などの無線技術を実装し得る。
【０１９４】
直交周波数分割多元接続(OFDMA)システムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。3GPPロングタームエボリューション(LTE)およびLTEアドバンスト(LTE-A)は、E-UTRAを使用するユニバーサル移動電気通信システム(UMTS)の新たなリリースである。UTRA、E-UTRA、UMTS、LTE、LTE-A、およびモバイル通信用グローバルシステム(GSM(登録商標))は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明した技法は、上述のシステムおよび無線技術、ならびに他のシステムおよび無線技術のために使用されてよい。LTEシステムの態様が例として説明されることがあり、説明の大部分においてLTE用語が使用されることがあるが、本明細書で説明した技法はLTE適用例以外に適用可能である。
【０１９５】
本明細書で説明するそのようなネットワークを含むLTE/LTE-Aネットワークでは、発展型ノードB(eNB)という用語は、概して、基地局を表すために使用され得る。本明細書で説明した1つまたは複数のワイヤレス通信システムは、異なるタイプの発展型ノードB(eNB)が様々な地理的領域にカバレージを与える、異種LTE/LTE-Aネットワークを含み得る。たとえば、各eNBまたは基地局は、マクロセル、スモールセル、または他のタイプのセル用の、通信カバレージを提供し得る。「セル」という用語は、文脈に応じて、基地局、基地局に関連付けられたキャリアもしくはCC、またはキャリアもしくは基地局のカバレージエリア(たとえば、セクタなど)を表すために使用され得る。
【０１９６】
基地局は、基地トランシーバ局、無線基地局、アクセスポイント、無線トランシーバ、ノードB、eノードB(eNB)、ホームノードB、ホームeノードB、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明した1つまたは複数のワイヤレス通信システムは、異なるタイプの基地局(たとえば、マクロセル基地局またはスモールセル基地局)を含み得る。本明細書で説明したUEは、マクロeNB、スモールセルeNB、中継基地局などを含む、様々なタイプの基地局およびネットワーク機器と通信できる場合がある。異なる技術のための重複する地理的カバレージエリアがあってよい。
【０１９７】
マクロセルは、一般に、比較的大きい地理的エリア(たとえば、半径数キロメートル)をカバーし、サービスに加入しているUEによるネットワークプロバイダとの無制限アクセスを可能にし得る。スモールセルは、マクロセルと比較して、マクロセルと同じかまたは異なる(たとえば、認可、無認可など)周波数バンドにおいて動作し得る低電力基地局であり得る。スモールセルは、様々な例に従って、ピコセル、フェムトセル、およびマイクロセルを含み得る。ピコセルは、たとえば、小さい地理的エリアをカバーし得、サービスに加入しているUEによるネットワークプロバイダとの無制限アクセスを可能にし得る。フェムトセルも、小さい地理的エリア(たとえば、自宅)をカバーし得、フェムトセルとの関連付けを有するUE(たとえば、限定加入者グループ(CSG:closed subscriber group)の中のUE、自宅内のユーザのためのUEなど)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、CC)をサポートすることがある。UEは、マクロeNB、スモールセルeNB、中継基地局などを含む、様々なタイプの基地局およびネットワーク機器と通信できる場合がある。
【０１９８】
本明細書で説明した1つまたは複数のワイヤレス通信システムは、同期動作または非同期動作をサポートし得る。同期動作の場合、基地局は、類似のフレームタイミングを有してよく、異なる基地局からの送信は、時間的にほぼ位置合せされ得る。非同期動作の場合、基地局は、異なるフレームタイミングを有することがあり、異なる基地局からの送信は、時間的に位置合せされないことがある。本明細書で説明した技法は、同期動作または非同期動作のいずれかのために使用され得る。
【０１９９】
本明細書で説明したダウンリンク送信は、順方向リンク送信と呼ばれることもあり、アップリンク送信は、逆方向リンク送信と呼ばれることもある。-  たとえば、図1および図2のワイヤレス通信システム100および200を含む、-  本明細書で説明した各通信リンクは、1つまたは複数のキャリアを含んでよく、ここで、各キャリアは、複数のサブキャリア(たとえば、異なる周波数の波形信号)で構成される信号であり得る。
【０２００】
添付の図面に関して本明細書に記載した説明は、例示的な構成を説明し、実装され得るかまたは特許請求の範囲内に入るすべての例を表すとは限らない。本明細書で使用する「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてよい。いくつかの事例では、説明した例の概念を不明瞭にすることを回避するために、よく知られている構造およびデバイスがブロック図の形態で示される。
【０２０１】
添付の図面では、類似の構成要素または特徴は、同じ参照ラベルを有することがある。さらに、同じタイプの様々な構成要素が、参照ラベルの後に、ダッシュおよび類似の構成要素の間で区別する第2のラベルを続けることによって区別されることがある。第1の参照ラベルのみが本明細書で使用される場合、説明は、第2の参照ラベルにかかわらず、同じ第1の参照ラベルを有する類似の構成要素のうちのいずれにも適用可能である。
【０２０２】
本明細書で説明した情報および信号は、様々な異なる技術および技法のいずれかを使用して表されてよい。たとえば、上の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０２０３】
本開示に関して説明した様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または他の任意のそのような構成)として実装されてよい。
【０２０４】
本明細書で説明した機能は、ハードウェア、プロセッサによって実行されるソフトウェア、ファームウェア、またはそれらの任意の組合せとして実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示および添付の特許請求の範囲内および趣旨内にある。たとえば、ソフトウェアの性質に起因して、上記で説明した機能は、プロセッサによって実行されるソフトウェア、ハードウェア、ファームウェア、ハードワイヤリング、またはこれらのうちのいずれかの組合せを使用して実装することができる。機能を実施する特徴は、機能の部分が異なる物理的ロケーションにおいて実装されるように分散されることを含む、様々な位置に物理的に配置されてよい。特許請求の範囲内に含まれ本明細書で使用する「および/または」という用語は、2つ以上の項目の列挙において使用されるとき、列挙される項目のうちのいずれか1つが単独で採用され得ること、または列挙される項目のうちの2つ以上の任意の組合せが採用され得ることを意味する。たとえば、組成物が、構成要素A、B、および/またはCを含むものとして説明される場合、その組成物は、A単体、B単体、C単体、AおよびBを組み合わせて、AおよびCを組み合わせて、BおよびCを組み合わせて、またはA、B、およびCを組み合わせて、含むことができる。また、特許請求の範囲に含まれ本明細書で使用する、項目のリスト(たとえば、「のうちの少なくとも1つ」または「のうちの1つまたは複数」などの句で終わる項目のリスト)において使用される「または」は、たとえば、項目のリスト「のうちの少なくとも1つ」を指す句が、単一のメンバーを含むそれらの項目の任意の組合せを指すような、包括的リストを示す。一例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０２０５】
本明細書で使用する「に基づいて」という句は、条件の閉集合への参照と解釈してはならない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈しなければならない。
【０２０６】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気記憶デバイス、あるいは命令またはデータ構造の形態の所望のプログラムコード手段を搬送または記憶するために使用され得るとともに、汎用コンピュータもしくは専用コンピュータまたは汎用プロセッサもしくは専用プロセッサによってアクセスされ得る、任意の他の非一時的媒体を備えてよい。また、いかなる接続もコンピュータ可読媒体と適切に呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線(DSL)、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピー(登録商標)ディスク(disk)、およびBlu-ray(登録商標)ディスク(disc)を含み、ここで、ディスク(disk)は、通常、データを磁気的に再生し、ディスク(disc)は、レーザーを用いてデータを光学的に再生する。上記のものの組合せも、コンピュータ可読媒体の範囲内に含まれる。
【０２０７】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明した例および設計に限定されず、本明細書で開示する原理および新規の特徴と一致する最も広い範囲を与えられるべきである。
【符号の説明】
【０２０８】
100  ワイヤレス通信システム
105  基地局
110  地理的カバレージエリア
115  ユーザ機器
125  通信リンク
130  コアネットワーク
132  バックホールリンク
134  バックホールリンク
205  コンポーネントキャリア(CC)
305  コンポーネントキャリア(CC)
310  ダウンリンクサブフレーム
315  特殊サブフレーム
320  アクティブなアップリンクサブフレーム
325  サウンディング基準信号(SRS)
330  アクティブでないアップリンクサブフレーム
405  コンポーネントキャリア(CC)
410  サブフレーム
415  送信
420  再同調期間
425  サウンディング基準信号(SRS)
430  利用可能なシンボル
505  コンポーネントキャリア(CC)
510  ダウンリンク監視のためのリソース
515  ダウンリンクリソース
520  利用不可能なアップリンクリソース
525  サウンディング基準信号(SRS)
530  物理アップリンク共有チャネル(PUSCH)
705  ワイヤレスデバイス
710  受信機
715  UE SRS切替えマネージャ
720  送信機
825  再同調能力構成要素
830  衝突構成要素
835  アンテナ切替え構成要素
920  再同調能力構成要素
925  衝突構成要素
930  アンテナ切替え構成要素
935  SRS欠落構成要素
940  アップリンク送信欠落構成要素
945  パンクチャリング構成要素
950  レートマッチング構成要素
955  再同調時間構成要素
960  DMRS衝突構成要素
965  ダウンリンク再同調構成要素
970  制御監視構成要素
975  優先度付け構成要素
980  ルックアヘッド構成要素
985  PDSCH開始シンボル構成要素
1115  基地局SRS切替えマネージャ
1225  再同調能力構成要素
1230  制御監視構成要素
1320  再同調能力構成要素
1325  制御監視構成要素
1330  PDCCH構成要素
1335  EPDCCH構成要素
1340  ルックアヘッド構成要素
1345  PDSCH開始シンボル構成要素
【図１】
2019521600.tif 000004
【図２】
2019521600.tif 000005
【図３】
2019521600.tif 000006
【図４】
2019521600.tif 000007
【図５】
2019521600.tif 000008
【図６】
2019521600.tif 000009
【図７】
2019521600.tif 000010
【図８】
2019521600.tif 000011
【図９】
2019521600.tif 000012
【図１０】
2019521600.tif 000013
【図１１】
2019521600.tif 000014
【図１２】
2019521600.tif 000015
【図１３】
2019521600.tif 000016
【図１４】
2019521600.tif 000017
【図１５】
2019521600.tif 000018
【図１６】
2019521600.tif 000019
【図１７】
2019521600.tif 000020
【図１８】
2019521600.tif 000021
【図１９】
2019521600.tif 000022
【図２０】
2019521600.tif 000023
【図２１】
2019521600.tif 000024
【図２２】
2019521600.tif 000025
【国際調査報告】
2019521600.tif 000026
2019521600.tif 000027
2019521600.tif 000028